(57)【特許請求の範囲】
【請求項１】
無線通信システムにおいてＰＤＣＣＨ（ｐｈｙｓｉｃａｌ  ｄｏｗｎｌｉｎｋ  ｃｏｎｔｒｏｌ  ｃｈａｎｎｅｌ）及びＰＤＳＣＨ（ｐｈｙｓｉｃａｌ  ｄｏｗｎｌｉｎｋ  ｓｈａｒｅｄ  ｃｈａｎｎｅｌ）を含むダウンリンクチャネルを介して基地局により参照信号を送信する方法であって、
前記方法は、
チャネル測定用の複数の参照信号を生成することであって、前記チャネル測定用の複数の参照信号は、第１のタイプのＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）及び第２のタイプのＣＳＩ−ＲＳを含む、ことと、
前記ＰＤＳＣＨを介して前記第１のタイプのＣＳＩ−ＲＳ及び前記第２のタイプのＣＳＩ−ＲＳを送信することであって、前記第１のタイプのＣＳＩ−ＲＳ及び前記第２のタイプのＣＳＩ−ＲＳは、一つ以上のサブフレームに対応する少なくとも一つのデューティサイクルを用いて送信される、ことと
を含み、
前記第１のタイプのＣＳＩ−ＲＳは、第１の個数の送信アンテナに関連し、前記第２のタイプのＣＳＩ−ＲＳは、第２の個数の送信アンテナに関連し、
前記第１のタイプのＣＳＩ−ＲＳは、第１のデューティサイクルに基づいて送信され、前記第２のタイプのＣＳＩ−ＲＳは、前記第１のデューティサイクルとは異なる第２のデューティサイクルに基づいて送信される、方法。
【請求項２】
前記第１のデューティサイクル及び前記第２のデューティサイクルを示す情報は、ＲＲＣ（ｒａｄｉｏ  ｒｅｓｏｕｒｃｅ  ｃｏｎｔｒｏｌ）シグナリングを介して送信される、請求項１に記載の方法。
【請求項３】
前記第２のタイプのＣＳＩ−ＲＳは、前記第１のＣＳＩ−ＲＳが送信される時点からオフセット値だけシフトされて送信される、請求項１に記載の方法。
【請求項４】
前記デューティサイクルは、５ｍｓ、１０ｍｓ、２０ｍｓ及び４０ｍｓのうちの一つに設定される、請求項１に記載の方法。
【請求項５】
復調用の参照信号を送信することをさらに含み、前記復調用の参照信号は、サブフレーム毎に送信される、請求項１に記載の方法。
【請求項６】
前記第１のタイプのＣＳＩ−ＲＳに第１の参照信号パターンが適用され、前記第２のタイプのＣＳＩ−ＲＳに第２の参照信号パターンが適用される、請求項１に記載の方法。
【請求項７】
前記第２のタイプのＣＳＩ−ＲＳの前記第２の参照信号パターンは、前記第１のタイプのＣＳＩ−ＲＳの前記第１の参照信号パターンを時間軸または周波数軸に沿ってシフトさせた形態を有する、請求項６に記載の方法。
【請求項８】
前記基地局が多重搬送波を用いて前記チャネル測定用の参照信号を送信する場合に、前記チャネル測定用の複数の参照信号のタイプは、各搬送波別に決定される、請求項１に記載の方法。
【請求項９】
ＰＤＣＣＨ（ｐｈｙｓｉｃａｌ  ｄｏｗｎｌｉｎｋ  ｃｏｎｔｒｏｌ  ｃｈａｎｎｅｌ）及びＰＤＳＣＨ（ｐｈｙｓｉｃａｌ  ｄｏｗｎｌｉｎｋ  ｓｈａｒｅｄ  ｃｈａｎｎｅｌ）を含むダウンリンクチャネルを介して参照信号を送信する装置であって、
前記装置は、
Ｎ個のアンテナと、
前記Ｎ個のアンテナと連結されたプロセッサと
を備え、
前記プロセッサは、
チャネル測定用の複数の参照信号を生成することであって、前記チャネル測定用の複数の参照信号は、第１のタイプのＣＳＩ−ＲＳ（ｃｈａｎｎｅｌ  ｓｔａｔｅ  ｉｎｆｏｒｍａｔｉｏｎ−ｒｅｆｅｒｅｎｃｅ  ｓｉｇｎａｌ）及び第２のタイプのＣＳＩ−ＲＳを含む、ことと、
前記ＰＤＳＣＨを介して前記第１のタイプのＣＳＩ−ＲＳ及び前記第２のタイプのＣＳＩ−ＲＳを送信することであって、前記第１のタイプのＣＳＩ−ＲＳ及び前記第２のタイプのＣＳＩ−ＲＳは、一つ以上のサブフレームに対応する少なくとも一つのデューティサイクルを用いて送信される、ことと
を実行するように構成され、
前記第１のタイプのＣＳＩ−ＲＳは、第１の個数の送信アンテナに関連し、前記第２のタイプのＣＳＩ−ＲＳは、第２の個数の送信アンテナに関連し、
前記第１のタイプのＣＳＩ−ＲＳは、第１のデューティサイクルに基づいて送信され、前記第２のタイプのＣＳＩ−ＲＳは、前記第１のデューティサイクルとは異なる第２のデューティサイクルに基づいて送信される、装置。
【発明の詳細な説明】
【技術分野】
【０００１】
本発明は、無線通信に関し、より詳しくは、無線通信システムにおける参照信号送信装置及び方法に関する。
【背景技術】
【０００２】
無線通信システムは、音声やデータなどのような多様な種類の通信サービスを提供するために広範囲に展開されている。無線通信システムの目的は、多数のユーザが位置と移動性に関係なしに信頼することができる（ｒｅｌｉａｂｌｅ）通信を可能にすることである。然しながら、無線チャネル（ｗｉｒｅｌｅｓｓ  ｃｈａｎｎｅｌ）は、パスロス（ｐａｔｈ  ｌｏｓｓ）、雑音（ｎｏｉｓｅ）、マルチロス（ｍｕｌｔｉｐａｔｈ）によるフェーディング（ｆａｄｉｎｇ）現象、シンボル間干渉（ＩＳＩ；ｉｎｔｅｒｓｙｍｂｏｌ  ｉｎｔｅｒｆｅｒｅｎｃｅ）または端末の移動性によるドップラー効果（Ｄｏｐｐｌｅｒ  ｅｆｆｅｃｔ）などの非理想的な特性がある。従って、無線チャネルの非理想的特性を克服し、無線通信の信頼度（ｒｅｌｉａｂｉｌｉｔｙ）を高めるために多様な技術が開発されている。
【０００３】
信頼可能な高速のデータサービスをサポートするための技術として、ＭＩＭＯ（ｍｕｌｔｉｐｌｅ  ｉｎｐｕｔ  ｍｕｌｔｉｐｌｅ  ｏｕｔｐｕｔ）がある。ＭＩＭＯ技法は、多重送信アンテナと多重受信アンテナを使用してデータの送受信効率を向上させる。ＭＩＭＯ技法には、空間多重化（ｓｐａｔｉａｌ  ｍｕｌｔｉｐｌｅｘｉｎｇ）、送信ダイバーシティ（ｔｒａｎｓｍｉｔ  ｄｉｖｅｒｓｉｔｙ）、ビーム形成（ｂｅａｍｆｏｒｍｉｎｇ）などがある。
【０００４】
多重受信アンテナ及び多重送信アンテナによりＭＩＭＯチャネル行列が形成される。ＭＩＭＯチャネル行列からランク（ｒａｎｋ）を求めることができる。ランクは空間レイヤ（ｓｐａｔｉａｌ  ｌａｙｅｒ）の個数である。ランクは、送信機が同時に送信可能な空間ストリーム（ｓｐａｔｉａｌ  ｓｔｒｅａｍ）の個数と定義されることもできる。ランクは空間多重化率ともいう。送信アンテナ個数をＮｔ、受信アンテナの個数をＮｒとする時、ランクＲはＲ≦ｍｉｎ｛Ｎｔ，Ｎｒ｝の特性を有するようになる。
【０００５】
無線通信システムでは、チャネル測定（ｃｈａｎｎｅｌ  ｍｅａｓｕｒｅｍｅｎｔ）、情報復調（ｄｅｍｏｄｕｌａｔｉｏｎ）などのために送信機と受信機の両方とも知っている信号が必要である。送信機と受信機の両方ともが知っている信号を参照信号（ｒｅｆｅｒｅｎｃｅ  ｓｉｇｎａｌ；ＲＳ）という。参照信号は、パイロット（ｐｉｌｏｔ）とも呼ばれることができる。
【０００６】
受信機は、参照信号を介して送信機と受信機との間のチャネルを推定し、推定されたチャネルを用いて情報を復調することができる。例えば、端末が基地局から送信された参照信号を受信した場合、端末は、参照信号を介してチャネルを測定し、基地局にチャネル状態情報をフィードバックすることができる。送信機から送信された信号は、送信アンテナ毎にまたは空間レイヤ毎に対応されるチャネルを経るため、参照信号は、各送信アンテナ別または空間レイヤ別に送信されることができる。
【０００７】
一方、ＩＴＵ（Ｉｎｔｅｒｎａｔｉｏｎａｌ  Ｔｅｌｅｃｏｍｍｕｎｉｃａｔｉｏｎ  Ｕｎｉｏｎ）では３世帯以後の次世代移動通信システムとして、ＩＭＴ−Ａ（Ｉｎｔｅｒｎａｔｉｏｎａｌ  Ｍｏｂｉｌｅ  Ｔｅｌｅｃｏｍｍｕｎｉｃａｔｉｏｎ−Ａｄｖａｎｃｅｄ）システムの標準化を進行している。ＩＭＴ−Ａシステムの目標は、ダウンリンク１Ｇｂｐｓ（ｇｉｇａｂｉｔｓ  ｐｅｒ  ｓｅｃｏｎｄ）及びアップリンク５００Ｍｂｐｓ（ｍｅｇａｂｉｔｓ  ｐｅｒ  ｓｅｃｏｎｄ）である高速の送信率（ｔｒａｎｓｍｉｓｓｉｏｎ  ｒａｔｅ）を提供し、ＩＰ（ｉｎｔｅｒｎｅｔ  ｐｒｏｔｏｃｏｌ）基盤のマルチメディアシームレス（ｓｅａｍｌｅｓｓ）サービスをサポートすることである。３ＧＰＰ（３ｒｄ  Ｇｅｎｅｒａｔｉｏｎ  Ｐａｒｔｎｅｒｓｈｉｐ  Ｐｒｏｊｅｃｔ）ではＩＭＴ−Ａシステムのための候補技術としてＬＴＥ−Ａ（Ｌｏｎｇ  Ｔｅｒｍ  Ｅｖｏｌｕｔｉｏｎ−Ａｄｖａｎｃｅｄ）システムを考慮している。
【０００８】
ＬＴＥシステムで、ダウンリンク送信は最大４個の送信アンテナまでサポートされ、ＬＴＥ−Ａシステムで、ダウンリンク送信は最大８個の送信アンテナまでサポートされる。然しながら、セル内には、ＬＴＥシステムが適用される端末（以下、ＬＴＥ端末という）とＬＴＥ−Ａシステムが適用される端末（以下、ＬＴＥ−Ａ端末という）が共存（ｃｏｅｘｉｓｔｉｎｇ）することができる。従って、ＬＴＥ−Ａシステムは、ＬＴＥ端末及びＬＴＥ−Ａ端末を共にサポートすることができるように設計されなければならない。また、ダウンリンク送信には多様な送信技法（ｔｒａｎｓｍｉｓｓｉｏｎ  ｓｃｈｅｍｅ）が存在することができる。例えば、送信技法には、単一アンテナ技法、ＭＩＭＯ技法などがある。ＭＩＭＯ技法には、送信ダイバーシティ技法、閉ループ空間多重化技法、開ループ空間多重化技法、及びＭＵ−ＭＩＭＯ技法などがある。
【０００９】
このようにサポートされる最大送信アンテナの個数が異なり、多様な送信技法の適用される端末がシステム内に共存する場合、可能な限り各端末に最適化された参照信号を送信することができる送信装置及び方法を提供する必要がある。
【発明の概要】
【発明が解決しようとする課題】
【００１０】
本発明が解決しようとする技術的課題は、無線通信システムにおける参照信号送信装置及び方法を提供することである。
【課題を解決するための手段】
【００１１】
無線通信システムにおける基地局により実行される参照信号送信方法は、互いに異なるタイプを有するチャネル測定用参照信号を複数個生成する段階；及び、前記複数個のチャネル測定用参照信号を送信する段階；を含み、前記複数個のチャネル測定用参照信号は、一つまたはその以上のサブフレームをデューティサイクル（ｄｕｔｙ  ｃｙｃｌｅ）にして送信されることを特徴とする。
【００１２】
前記複数個のチャネル測定用参照信号が第１のチャネル測定用参照信号と第２のチャネル測定用参照信号を含む場合、前記第１のチャネル測定用参照信号と前記第２のチャネル測定用参照信号は、多重アンテナ送信技法によって決定される参照信号である。
【００１３】
または、前記複数個のチャネル測定用参照信号が第１のチャネル測定用参照信号と第２のチャネル測定用参照信号を含む場合、前記第１のチャネル測定用参照信号と前記第２のチャネル測定用参照信号は、端末のタイプによって決定される参照信号である。
【００１４】
端末は、時間によって前記第１のチャネル測定用参照信号と前記第２のチャネル測定用参照信号のうちいずれか一つを受信して使用する。
【００１５】
参照信号送信装置は、Ｎ個のアンテナ；及び、前記Ｎ個のアンテナと連結され、互いに異なるタイプを有するチャネル測定用参照信号を複数個生成し、前記複数個のチャネル測定用参照信号を送信するプロセッサ；を含み、前記複数個のチャネル測定用参照信号は、一つまたはそれ以上のサブフレームをデューティサイクル（ｄｕｔｙ  ｃｙｃｌｅ）にして送信されることを特徴とする。
本発明は、例えば、以下の項目も提供する。
（項目１）
無線通信システムにおける基地局により実行される参照信号送信方法において、
互いに異なるタイプを有するチャネル測定用参照信号を複数個生成する段階；及び、
前記複数個のチャネル測定用参照信号を送信する段階；を含み、
前記複数個のチャネル測定用参照信号は、一つまたはそれ以上のサブフレームをデューティサイクル（ｄｕｔｙ  ｃｙｃｌｅ）にして送信されることを特徴とする方法。
（項目２）
前記複数個のチャネル測定用参照信号は、各々、互いに異なる個数の送信アンテナに対するチャネル測定用参照信号であることを特徴とする項目１に記載の方法。
（項目３）
前記複数個のチャネル測定用参照信号は、仮想アンテナに対するチャネル測定用参照信号及び物理的アンテナに対するチャネル測定用参照信号を含むことを特徴とする項目１に記載の方法。
（項目４）
前記複数個のチャネル測定用参照信号は、各々、互いに異なるデューティサイクルを有して送信されることを特徴とする項目１に記載の方法。
（項目５）
前記複数個のチャネル測定用参照信号が第１のチャネル測定用参照信号と第２のチャネル測定用参照信号を含む場合、前記第２のチャネル測定用参照信号は、前記第１のチャネル測定用参照信号が送信される時点を基準にオフセット値ほど移動して送信されることを特徴とする項目１に記載の方法。
（項目６）
前記複数個のチャネル測定用参照信号が第１のチャネル測定用参照信号と第２のチャネル測定用参照信号を含む場合、前記第１のチャネル測定用参照信号は周期的に送信され、前記第２のチャネル測定用参照信号は非周期的に送信されることを特徴とする項目１に記載の方法。
（項目７）
復調用参照信号を送信する段階をさらに含み、前記復調用参照信号は、サブフレーム毎に送信されることを特徴とする項目１に記載の方法。
（項目８）
前記複数個のチャネル測定用参照信号は、同一参照信号パターンを有し、参照信号パターンは、参照信号シーケンス送信に使われる時間−周波数リソースパターンであることを特徴とする項目１に記載の方法。
（項目９）
前記複数個のチャネル測定用参照信号は、各々、互いに異なる参照信号パターンを有することを特徴とする項目１に記載の方法。
（項目１０）
前記複数個のチャネル測定用参照信号が第１のチャネル測定用参照信号と第２のチャネル測定用参照信号を含む場合、前記第２のチャネル測定用参照信号の参照信号パターンは、前記第１のチャネル測定用参照信号の参照信号パターンを時間軸または周波数軸に移動させた形態であることを特徴とする項目９に記載の方法。
（項目１１）
前記基地局が多重搬送波を介してチャネル測定用参照信号を送信する場合、前記複数個のチャネル測定用参照信号は、各搬送波別にタイプが決定されることを特徴とする項目１に記載の方法。
（項目１２）
前記複数個のチャネル測定用参照信号が第１のチャネル測定用参照信号と第２のチャネル測定用参照信号を含む場合、前記第１のチャネル測定用参照信号と前記第２のチャネル測定用参照信号は、多重アンテナ送信技法によって決定される参照信号であることを特徴とする項目１に記載の方法。
（項目１３）
前記複数個のチャネル測定用参照信号が第１のチャネル測定用参照信号と第２のチャネル測定用参照信号を含む場合、前記第１のチャネル測定用参照信号と前記第２のチャネル測定用参照信号は、端末のタイプによって決定される参照信号であることを特徴とする項目１に記載の方法。
（項目１４）
端末は、時間によって前記第１のチャネル測定用参照信号と前記第２のチャネル測定用参照信号のうちいずれか一つを受信して使用することを特徴とする項目１３に記載の方法。
（項目１５）
Ｎ個のアンテナ；及び、
前記Ｎ個のアンテナと連結され、互いに異なるタイプを有するチャネル測定用参照信号を複数個生成し、前記複数個のチャネル測定用参照信号を送信するプロセッサ；を含み、
前記複数個のチャネル測定用参照信号は、一つまたはそれ以上のサブフレームをデューティサイクル（ｄｕｔｙ  ｃｙｃｌｅ）にして送信されることを特徴とする参照信号送信装置。
【発明の効果】
【００１６】
無線通信システムにおける複数タイプの参照信号を送信することができる。端末は、複数タイプの参照信号のうち、送信技法、フィードバックモードなどによって適切な参照信号を受信することができる。従って、全体システム性能が向上することができる。
【図面の簡単な説明】
【００１７】
【図１】無線通信システムを示すブロック図である。
【図２】無線フレーム（ｒａｄｉｏ  ｆｒａｍｅ）構造の例を示す。
【図３】一つのダウンリンクスロットに対するリソースグリッド（ｒｅｓｏｕｒｃｅ  ｇｒｉｄ）を示す例示図である。
【図４】ダウンリンクサブフレームの構造の例を示す。
【図５】ノーマルＣＰの場合、４個のアンテナに対する共用参照信号のマッピング例を示す。
【図６】拡張されたＣＰの場合、４個のアンテナに対する共用参照信号のマッピング例を示す。
【図７】ＬＴＥにおけるノーマルＣＰの場合、専用参照信号のマッピング例を示す。
【図８】ＬＴＥにおける拡張されたＣＰの場合、専用参照信号のマッピング例を示す。
【図９】本発明の一実施例に係る送信機構造の例を示すブロック図である。
【図１０】図９の情報プロセッサ構造の例を示すブロック図である。
【図１１】送信機でノンプリコーデッドＣＳＩ−ＲＳを生成する場合の例を示すブロック図である。
【図１２】送信機でプリコーデッドＣＳＩ−ＲＳを生成する場合の例を示すブロック図である。
【図１３】送信機でアンテナ仮想化技法を使用してプリコーデッドＣＳＩ−ＲＳを生成する例を示すブロック図である。
【図１４】一つの仮想アンテナを介して参照信号が送信される無線通信システムの例を示すブロック図である。
【図１５】本発明の一実施例に係るＣＳＩ−ＲＳの送信方法を示す。
【図１６】デューティサイクル内で複数のサブフレームで送信されるＣＳＩ−ＲＳの例を示す。
【図１７】互いに異なるタイプのＣＳＩ−ＲＳが特定デューティサイクルを有して送信される例を示す。
【図１８】互いに異なるタイプのＣＳＩ−ＲＳが互いに異なるデューティサイクルを有する例を示す。
【図１９】互いに異なるタイプのＣＳＩ−ＲＳがオフセット値を有して送信される例を示す。
【図２０】多重搬送波システムにおける多重搬送波を周波数帯域で表す例である。
【図２１】本発明の実施例が具現される無線通信のための装置を示すブロック図である。
【発明を実施するための形態】
【００１８】
以下の技術は、ＣＤＭＡ（ｃｏｄｅ  ｄｉｖｉｓｉｏｎ  ｍｕｌｔｉｐｌｅ  ａｃｃｅｓｓ）、ＦＤＭＡ（ｆｒｅｑｕｅｎｃｙ  ｄｉｖｉｓｉｏｎ  ｍｕｌｔｉｐｌｅ  ａｃｃｅｓｓ）、ＴＤＭＡ（ｔｉｍｅ  ｄｉｖｉｓｉｏｎ  ｍｕｌｔｉｐｌｅ  ａｃｃｅｓｓ）、ＯＦＤＭＡ（ｏｒｔｈｏｇｏｎａｌ  ｆｒｅｑｕｅｎｃｙ  ｄｉｖｉｓｉｏｎ  ｍｕｌｔｉｐｌｅ  ａｃｃｅｓｓ）、ＳＣ−ＦＤＭＡ（ｓｉｎｇｌｅ  ｃａｒｒｉｅｒ−ｆｒｅｑｕｅｎｃｙ  ｄｉｖｉｓｉｏｎ  ｍｕｌｔｉｐｌｅ  ａｃｃｅｓｓ）などのような多様な多重接続方式（ｍｕｌｔｉｐｌｅ  ａｃｃｅｓｓ  ｓｃｈｅｍｅ）に使われることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）で具現されることができる。ＴＤＭＡは、ＧＳＭ（登録商標）（Ｇｌｏｂａｌ  Ｓｙｓｔｅｍ  ｆｏｒ  Ｍｏｂｉｌｅｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ（登録商標）（  Ｅｖｏｌｕｔｉｏｎ）のような無線技術で具現されることができる。ＯＦＤＭＡは、ＩＥＥＥ（Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ）８０２．１１（Ｗｉ−Ｆｉ）、ＩＥＥＥ８０２．１６（ＷｉＭＡＸ）、ＩＥＥＥ８０２．２０、Ｅ−ＵＴＲＡ（Ｅｖｏｌｖｅｄ  ＵＴＲＡ）などのような無線技術で具現されることができる。ＵＴＲＡは、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（Ｌｏｎｇ  Ｔｅｒｍ  Ｅｖｏｌｕｔｉｏｎ）はＥ−ＵＴＲＡを使用するＥ−ＵＭＴＳ（Ｅｖｏｌｖｅｄ  ＵＭＴＳ）の一部であり、ダウンリンクでＯＦＤＭＡを採用し、アップリンクでＳＣ−ＦＤＭＡを採用する。ＬＴＥ−Ａ（Ａｄｖａｎｃｅｄ）はＬＴＥの進化である。
【００１９】
説明を明確にするために、ＬＴＥ（Ｒｅｌｅａｓｅ  ８）／ＬＴＥ−Ａ（Ｒｅｌｅａｓｅ  １０）を中心に記述するが、本発明の技術的思想がこれに制限されるものではない。
【００２０】
図１は、無線通信システムを示すブロック図である。
【００２１】
図１を参照すると、無線通信システム１０は、少なくとも一つの基地局（ｂａｓｅ  ｓｔａｔｉｏｎ；ＢＳ）１１を含む。各基地局１１は、特定の地理的領域（一般的にセルという）１５ａ、１５ｂ、１５ｃに対して通信サービスを提供する。また、セルは、複数の領域（セクターという）に分けられる。端末（ｕｓｅｒ  ｅｑｕｉｐｍｅｎｔ；ＵＥ）１２は、固定されたり移動性を有することができ、ＭＳ（ｍｏｂｉｌｅ  ｓｔａｔｉｏｎ）、ＡＭＳ（Ａｄｖａｎｃｅｄ  ＭＳ）、ＵＴ（ｕｓｅｒ  ｔｅｒｍｉｎａｌ）、ＳＳ（ｓｕｂｓｃｒｉｂｅｒ  ｓｔａｔｉｏｎ）、無線機器（ｗｉｒｅｌｅｓｓ  ｄｅｖｉｃｅ）、ＰＤＡ（ｐｅｒｓｏｎａｌ  ｄｉｇｉｔａｌ  ａｓｓｉｓｔａｎｔ）、無線モデム（ｗｉｒｅｌｅｓｓ  ｍｏｄｅｍ）、携帯機器（ｈａｎｄｈｅｌｄ  ｄｅｖｉｃｅ）等、他の用語で呼ばれることができる。基地局１１は、一般的に端末１２と通信する固定局（ｆｉｘｅｄ  ｓｔａｔｉｏｎ）を意味し、ｅＮＢ（ｅｖｏｌｖｅｄ−ＮｏｄｅＢ）、ＡＢＳ（Ａｄｖａｎｃｅｄ  ＢＳ）、ＢＴＳ（ｂａｓｅ  ｔｒａｎｓｃｅｉｖｅｒ  ｓｙｓｔｅｍ）、アクセスポイント（ａｃｃｅｓｓ  ｐｏｉｎｔ）等、他の用語で呼ばれることができる。
【００２２】
以下、ダウンリンク（ｄｏｗｎｌｉｎｋ；ＤＬ）は基地局から端末への通信を意味し、アップリンク（ｕｐｌｉｎｋ；ＵＬ）は端末から基地局への通信を意味する。ダウンリンクで、送信機は基地局の一部分であり、受信機は端末の一部分である。アップリンクで、送信機は端末の一部分であり、受信機は基地局の一部分である。
【００２３】
無線通信システムは多重アンテナをサポートすることができる。送信機は複数の送信アンテナ（ｔｒａｎｓｍｉｔ  ａｎｔｅｎｎａ）を使用し、受信機は複数の受信アンテナ（ｒｅｃｅｉｖｅ  ａｎｔｅｎｎａ）を使用することができる。送信アンテナは、一つの信号またはストリーム（ｓｔｒｅａｍ）の送信に使われる物理的または論理的アンテナを意味し、受信アンテナは、一つの信号またはストリームの受信に使われる物理的または論理的アンテナを意味する。送信機及び受信機が複数のアンテナを使用する場合、無線通信システムはＭＩＭＯ（ｍｕｌｔｉｐｌｅ  ｉｎｐｕｔ  ｍｕｌｔｉｐｌｅ  ｏｕｔｐｕｔ）システムで呼ばれることができる。
【００２４】
無線通信の過程は、一つの単一階層で具現されることより垂直的な複数の独立的階層で具現されるのが好ましい。垂直的な複数の階層構造をプロトコルスタック（ｐｒｏｔｏｃｏｌ  ｓｔａｃｋ）という。プロトコルスタックは、通信システムで広く知られたプロトコル構造のためのモデルであるＯＳＩ（ｏｐｅｎ  ｓｙｓｔｅｍ  ｉｎｔｅｒｃｏｎｎｅｃｔｉｏｎ）モデルを参照することができる。
【００２５】
図２は、無線フレーム（ｒａｄｉｏ  ｆｒａｍｅ）構造の例を示す。
【００２６】
図２を参照すると、無線フレームは、１０個のサブフレーム（ｓｕｂｆｒａｍｅ）で構成され、一つのサブフレームは、２個のスロット（ｓｌｏｔ）で構成される。無線フレーム内のスロットは、＃０から＃１９までのスロット番号が付けられる。一つのサブフレームの送信にかかる時間をＴＴＩ（ｔｒａｎｓｍｉｓｓｉｏｎ  ｔｉｍｅ  ｉｎｔｅｒｖａｌ）という。ＴＴＩは情報送信のためのスケジューリング単位を意味する。例えば、一つの無線フレームの長さは１０ｍｓであり、一つのサブフレームの長さは１ｍｓであり、一つのスロットの長さは０．５ｍｓである。無線フレームの構造は例示に過ぎず、無線フレームに含まれるサブフレームの数またはサブフレームに含まれるスロットの数は多様に変更されることができる。
【００２７】
図３は、一つのダウンリンクスロットに対するリソースグリッド（ｒｅｓｏｕｒｃｅ  ｇｒｉｄ）を示す例示図である。
【００２８】
図３を参照すると、ダウンリンクスロットは、時間領域（ｔｉｍｅ  ｄｏｍａｉｎ）で複数のＯＦＤＭ（ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルを含み、周波数領域（ｆｒｅｑｕｅｎｃｙ  ｄｏｍａｉｎ）でＮ＿ＤＬリソースブロック（ｒｅｓｏｕｒｃｅ  ｂｌｏｃｋ；ＲＢ）を含む。ＯＦＤＭシンボルは、一つのシンボル区間（ｓｙｍｂｏｌ  ｐｅｒｉｏｄ）を表現するためのものであり、多重接続方式によってＯＦＤＭＡシンボル、ＳＣ−ＦＤＭＡシンボルなど、他の名称で呼ばれることができる。ダウンリンクスロットに含まれるリソースブロックの数Ｎ＿ＤＬはセルで設定されるダウンリンク送信帯域幅（ｔｒａｎｓｍｉｓｓｉｏｎ  ｂａｎｄｗｉｄｔｈ）に従属する。ＬＴＥにおけるＮ＿ＤＬは６０乃至１１０うちいずれか一つである。一つのリソースブロックは周波数領域で複数の副搬送波を含む。
【００２９】
リソースグリッド上の各要素（ｅｌｅｍｅｎｔ）をリソース要素（ｒｅｓｏｕｒｃｅ  ｅｌｅｍｅｎｔ）という。リソースグリッド上のリソース要素は、スロット内のインデックス対（ｉｎｄｅｘ  ｐａｉｒ）（ｋ，ｌ）により識別されることができる。ここで、ｋ（ｋ＝０，．．．，Ｎ＿ＤＬ×１２−１）は周波数領域内の副搬送波インデックスであり、ｌ（ｌ＝０，．．．，６）は時間領域内のＯＦＤＭシンボルインデックスである。
【００３０】
ここで、一つのリソースブロックは、時間領域で７ＯＦＤＭシンボル、周波数領域で１２副搬送波で構成される７×１２リソース要素を含むことを例示的に記述するが、リソースブロック内のＯＦＤＭシンボルの数と副搬送波の数はこれに制限されるものではない。ＯＦＤＭシンボルの数は、ＣＰ（ｃｙｃｌｉｃ  ｐｒｅｆｉｘ）の長さ、副搬送波間隔（ｓｕｂｃａｒｒｉｅｒ  ｓｐａｃｉｎｇ）によって多様に変更されることができる。例えば、ノーマル（ｎｏｒｍａｌ）ＣＰの場合、ＯＦＤＭシンボルの数は７であり、拡張された（ｅｘｔｅｎｄｅｄ）ＣＰの場合、ＯＦＤＭシンボルの数は６である。
【００３１】
図３の一つのダウンリンクスロットに対するリソースグリッドは、アップリンクスロットに対するリソースグリッドにも適用されることができる。
【００３２】
図４は、ダウンリンクサブフレームの構造の例を示す。
【００３３】
図４を参照すると、ダウンリンクサブフレームは、２個の連続的な（ｃｏｎｓｅｃｕｔｉｖｅ）スロットを含む。ダウンリンクサブフレーム内の第１のスロット（１ｓｔ  ｓｌｏｔ）の前方部の３ＯＦＤＭシンボルは制御領域（ｃｏｎｔｒｏｌ  ｒｅｇｉｏｎ）であり、残りのＯＦＤＭシンボルはデータ領域（ｄａｔａ  ｒｅｇｉｏｎ）である。ここで、制御領域が３ＯＦＤＭシンボルを含むのは例示に過ぎない。
【００３４】
データ領域には、ＰＤＳＣＨ（ｐｈｙｓｉｃａｌ  ｄｏｗｎｌｉｎｋ  ｓｈａｒｅｄ  ｃｈａｎｎｅｌ）が割り当てられることができる。ＰＤＳＣＨ上にはダウンリンクデータが送信される。
【００３５】
制御領域には、ＰＣＦＩＣＨ（ｐｈｙｓｉｃａｌ  ｃｏｎｔｒｏｌ  ｆｏｒｍａｔ  ｉｎｄｉｃａｔｏｒ  ｃｈａｎｎｅｌ）、ＰＨＩＣＨ（ｐｈｙｓｉｃａｌ  ＨＡＲＱ（ｈｙｂｒｉｄ  ａｕｔｏｍａｔｉｃ  ｒｅｐｅａｔ  ｒｅｑｕｅｓｔ）  ｉｎｄｉｃａｔｏｒ  ｃｈａｎｎｅｌ）、ＰＤＣＣＨ（ｐｈｙｓｉｃａｌ  ｄｏｗｎｌｉｎｋ  ｃｏｎｔｒｏｌ  ｃｈａｎｎｅｌ）などの制御チャネルが割り当てられることができる。
【００３６】
ＰＣＦＩＣＨは、端末にサブフレーム内でＰＤＣＣＨの送信に使われるＯＦＤＭシンボルの個数に関する情報を運ぶ（ｃａｒｒｙ）。ＰＤＣＣＨ送信に使われるＯＦＤＭシンボルの数はサブフレーム毎に変更されることができる。ＰＨＩＣＨは、アップリンクデータに対するＨＡＲＱ  ＡＣＫ（ａｃｋｎｏｗｌｅｄｇｅｍｅｎｔ）／ＮＡＣＫ（ｎｅｇａｔｉｖｅａｃｋｎｏｗｌｅｄｇｅｍｅｎｔ）を運ぶ。
【００３７】
ＰＤＣＣＨは、ダウンリンク制御情報を運ぶ。ダウンリンク制御情報には、ダウンリンクスケジューリング情報、アップリンクスケジューリング情報またはアップリンクパワー制御命令などがある。ダウンリンクスケジューリング情報はダウンリンクグラント（ｇｒａｎｔ）とも呼ばれ、アップリンクスケジューリング情報はアップリンクグラントとも呼ばれる。
【００３８】
ダウンリンクグラントは、ダウンリンクデータが送信される時間−周波数リソースを指示するリソース割当フィールド、ダウンリンクデータのＭＣＳ（ｍｏｄｕｌａｔｉｏｎ  ｃｏｄｉｎｇ  ｓｃｈｅｍｅ）レベルを指示するＭＣＳフィールドなどを含むことができる。
【００３９】
無線通信システムでは、チャネル測定（ｃｈａｎｎｅｌ  ｍｅａｓｕｒｅｍｅｎｔ）、情報復調（ｄｅｍｏｄｕｌａｔｉｏｎ）などのために送信機と受信機の両方とも知っている信号が必要である。送信機と受信機の両方とも知っている信号を参照信号（ｒｅｆｅｒｅｎｃｅ  ｓｉｇｎａｌ；ＲＳ）という。参照信号はパイロット（ｐｉｌｏｔ）とも呼ばれることができる。参照信号は、上位階層から由来した情報を運ばず、物理階層（ｐｈｙｓｉｃａｌ  ｌａｙｅｒ）で生成されることができる。
【００４０】
参照信号は、予め定義された参照信号シーケンスがかけられて送信されることができる。参照信号シーケンスは、二進シーケンス（ｂｉｎａｒｙ  ｓｅｑｕｅｎｃｅ）または複素シーケンス（ｃｏｍｐｌｅｘ  ｓｅｑｕｅｎｃｅ）である。例えば、参照信号シーケンスは、ＰＮ（ｐｓｅｕｄｏ−ｒａｎｄｏｍ）シーケンス、ｍ−シーケンスなどを用いることができる。ただしこれは例示に過ぎず、参照信号シーケンスに特別な制限はない。基地局が参照信号に参照信号シーケンスをかけて送信する場合、端末は隣接セルの信号が参照信号に及ぼす干渉を減少させることができる。これによってチャネル推定性能が向上することができる。
【００４１】
参照信号は、共用参照信号（ｃｏｍｍｏｎ  ＲＳ）と専用参照信号（ｄｅｄｉｃａｔｅｄ  ＲＳ）に区分されることができる。
【００４２】
共用参照信号は、セル内の全ての端末に送信される参照信号である。セル内の全ての端末は共用参照信号を受信することができる。セル間干渉を避けるために、共用参照信号はセルによって定められることができる。この場合、共用参照信号はセル特定参照信号（ｃｅｌｌ−ｓｐｅｃｉｆｉｃ  ＲＳ）とも呼ばれる。共用参照信号は、チャネル測定と情報復調に使われることができる。チャネル測定のみのための参照信号の例として、ＣＳＩ−ＲＳ（ｃｈａｎｎｅｌ  ｓｔａｔｅ  ｉｎｆｏｒｍａｔｉｏｎ−ＲＳ）がある。
【００４３】
専用参照信号は、セル内の特定端末または特定端末グループが受信する参照信号である。前記セル内の特定端末または特定端末グループを除いた他の端末は専用参照信号を用いることができない。専用参照信号は端末特定参照信号（ＵＥ−ｓｐｅｃｉｆｉｃ  ＲＳ）とも呼ばれる。専用参照信号は、特定端末のダウンリンクデータ送信のために割り当てられたリソースブロックを介して送信されることができる。専用参照信号は、情報復調に使われることができる。情報復調に使われる参照信号をＤＲＳ（ｄｅｍｏｄｕｌａｔｉｏｎ  ＲＳ）と呼ばれることもある。
【００４４】
図５は、ノーマルＣＰの場合、４個のアンテナに対する共用参照信号のマッピング例を示す。図６は、拡張されたＣＰの場合、４個のアンテナに対する共用参照信号のマッピング例を示す。
【００４５】
図５及び図６を参照すると、Ｒｐはアンテナ＃ｐを介する参照信号送信に使われるリソース要素を示す（ｐ＝０，１，２，３）。以下、参照信号送信に使われるリソース要素を参照リソース要素という。Ｒｐはアンテナ＃ｐに対する参照リソース要素である。Ｒｐはアンテナ＃ｐを介する送信にのみ使われる。言い換えれば、サブフレーム内のあるアンテナを介する参照信号送信に使われるリソース要素は、同一サブフレーム内の他のアンテナを介してはどんな送信にも使われず、０に設定されることができる。これはアンテナ間干渉を与えないためである。
【００４６】
以下、説明の便宜のために、時間−周波数リソース内の参照信号パターン（ＲＳ  ｐａｔｔｅｒｎ）の最小単位を基本単位（ｂａｓｉｃ  ｕｎｉｔ）という。参照信号パターンとは、時間−周波数リソース内で参照リソース要素の位置が決定される方式である。基本単位が時間領域及び／または周波数領域に拡張されると、参照信号パターンが繰り返される。ここで、基本単位は、時間領域で一つのサブフレーム及び周波数領域で一つのリソースブロックである。
【００４７】
共用参照信号はダウンリンクサブフレーム毎に送信されることができる。アンテナ毎に一つの共用参照信号が送信される。共用参照信号はサブフレーム内の参照リソース要素の集合に対応される。基地局は、共用参照信号に予め定義された共用参照信号シーケンスをかけて送信することができる。
【００４８】
共用参照信号の参照信号パターンを共用参照信号パターンという。アンテナの各々のための共用参照信号パターンは、時間−周波数領域で互いに直交（ｏｒｔｈｏｇｏｎａｌ）する。共用参照信号パターンは、セル内の全ての端末に共通される。共用参照信号シーケンスもセル内の全ての端末に共通される。ただし、セル間干渉を最小化させるために、共用参照信号パターン及び共用参照信号シーケンスの各々はセルによって定められることができる。
【００４９】
共用参照信号シーケンスは一つのサブフレーム内のＯＦＤＭシンボル単位に生成されることができる。共用参照信号シーケンスは、セルＩＤ（ｉｄｅｎｔｉｆｉｅｒ）、一つの無線フレーム内のスロット番号、スロット内のＯＦＤＭシンボルインデックス、ＣＰの長さなどによって変わることができる。
【００５０】
基本単位内の参照リソース要素を含むＯＦＤＭシンボルで、一つのアンテナに対する参照リソース要素の個数は２である。即ち、基本単位内のＲｐを含むＯＦＤＭシンボルでＲｐの個数は２である。サブフレームは周波数領域でＮ＿ＤＬリソースブロックを含む。従って、サブフレーム内のＲｐを含むＯＦＤＭシンボルでＲｐの個数は２×Ｎ＿ＤＬである。また、サブフレーム内のＲｐを含むＯＦＤＭシンボルでアンテナ＃ｐに対する共用参照信号シーケンスの長さは２×Ｎ＿ＤＬである。
【００５１】
次の数式は、一つのＯＦＤＭシンボルで共用参照信号シーケンスのために生成される複素シーケンスｒ（ｍ）の例を示す。
【数１】
0005465320.tif 000002
【００５２】
ここで、Ｎ＿ｍａｘ，ＤＬは無線通信システムでサポートされる最大ダウンリンク送信帯域幅に該当するリソースブロックの個数である。ＬＴＥでＮ＿ｍａｘ，ＤＬは１１０である。Ｎ＿ＤＬがＮ＿ｍａｘ，ＤＬより小さい場合、２×Ｎ＿ｍａｘ，ＤＬ長さに生成された複素シーケンスのうち２×Ｎ＿ＤＬ長さの一定部分を選択して共用参照信号シーケンスとして使用することができる。ｃ（ｉ）はＰＮシーケンスである。ＰＮシーケンスは、長さ−３１のゴールド（Ｇｏｌｄ）シーケンスにより定義されることができる。次の数式は、ｃ（ｉ）の例を示す。
【数２】
0005465320.tif 000003
【００５３】
ここで、Ｎｃ＝１６００であり、ｘ（ｉ）は第１のｍ−シーケンスであり、ｙ（ｉ）は第２のｍ−シーケンスである。例えば、第１のｍ−シーケンスは、各ＯＦＤＭシンボルの初めでｘ（０）＝１、ｘ（ｉ）＝０（ｉ＝１，２，．．．，３０）で初期化（ｉｎｉｔｉａｌｉｚａｔｉｏｎ）されることができる。第２のｍ−シーケンスは、各ＯＦＤＭシンボルの初めでセルＩＤ、無線フレーム内のスロット番号、スロット内のＯＦＤＭシンボルインデックス、ＣＰの長さなどによって初期化されることができる。
【００５４】
次の数式は、第２のｍ−シーケンスの初期化の例である。
【数３】
0005465320.tif 000004
【００５５】
ここで、ｎ＿ｓは無線フレーム内のスロット番号であり、ｌはスロット内のＯＦＤＭシンボルインデックスであり、Ｎ＿ｃｅｌｌ＿ＩＤはセルＩＤである。ノーマルＣＰである場合、Ｎ＿ＣＰは１であり、拡張されたＣＰである場合、Ｎ＿ＣＰは０である。
【００５６】
前記数式で共用参照信号シーケンスを生成する場合、共用参照信号シーケンスはアンテナとは関係がない。従って、同じＯＦＤＭシンボルで複数のアンテナの各々に共用参照信号が送信される場合、前記複数のアンテナの各々の共用参照信号シーケンスは同じである。
【００５７】
参照リソース要素を含むＯＦＤＭシンボル毎に生成された共用参照信号シーケンスは、共用参照信号パターンによって参照リソース要素にマッピングされる。この時、共用参照信号シーケンスは順に副搬送波インデックスの昇順に参照リソース要素にマッピングされることができる。この時、各アンテナ毎に共用参照信号シーケンスが生成され、各アンテナ毎に共用参照信号シーケンスが参照リソース要素にマッピングされる。
【００５８】
図７は、ＬＴＥにおけるノーマルＣＰの場合、専用参照信号のマッピング例を示す。図８は、ＬＴＥにおける拡張されたＣＰの場合、専用参照信号のマッピング例を示す。
【００５９】
図７及び図８を参照すると、Ｒ５はアンテナ＃５を介する専用参照信号送信に使われるリソース要素を示す。ＬＴＥにおける専用参照信号は単一アンテナ送信のためにサポートされる。上位階層によりＰＤＳＣＨ上のダウンリンクデータ送信技法（ｔｒａｎｓｍｉｓｓｉｏｎ  ｓｃｈｅｍｅ）がアンテナ＃５を介する単一アンテナ送信に設定された場合にのみ、専用参照信号が存在することができ、ＰＤＳＣＨ復調のために有効である。専用参照信号はＰＤＳＣＨがマッピングされるリソースブロック上でのみ送信されることができる。専用参照信号は、ＰＤＳＣＨがマッピングされるリソースブロック内の参照リソース要素の集合に対応される。基地局は、専用参照信号に予め定義された専用参照信号シーケンスをかけて送信することができる。ここで、基本単位は、時間領域で一つのサブフレーム及び周波数領域で一つのリソースブロックである。
【００６０】
専用参照信号は共用参照信号と同時に送信されることができる。従って、参照信号オーバーヘッドは、共用参照信号のみが送信される場合の参照信号オーバーヘッドと比較して非常に高まるようになる。端末は共用参照信号と専用参照信号を共に使用することができる。サブフレーム内の制御情報が送信される制御領域で、端末は共用参照信号を使用し、サブフレーム内の残りのデータ領域で、端末は専用参照信号を使用することができる。例えば、制御領域は、サブフレームの第１のスロット内のＯＦＤＭシンボルインデックスｌが０乃至２であるＯＦＤＭシンボルである（図４参照）。
【００６１】
専用参照信号の参照信号パターンである専用参照信号パターンはセル内の全ての端末に共通されることができる。ただし、セル間干渉を最小化させるために、専用参照信号パターンはセルによって定められることができる。専用参照信号シーケンスは端末によって定められることができる。従って、セル内の特定端末のみが専用参照信号を受信することができる。
【００６２】
専用参照信号シーケンスはサブフレーム単位に生成されることができる。専用参照信号シーケンスは、セルＩＤ、一つの無線フレーム内のサブフレームの位置、端末ＩＤなどによって変わることができる。
【００６３】
基本単位内の専用参照信号のための参照リソース要素の個数は１２である。即ち、基本単位内のＲ５の個数は１２である。ＰＤＳＣＨがマッピングされるリソースブロックの個数をＮ＿ＰＤＳＣＨとする場合、専用参照信号のための全体Ｒ５の個数は１２×Ｎ＿ＰＤＳＣＨである。従って、専用参照信号シーケンスの長さは１２×Ｎ＿ＰＤＳＣＨである。専用参照信号シーケンスの長さは、端末がＰＤＳＣＨ送信のために割当を受けるリソースブロックの個数によって変わることができる。
【００６４】
次の数式は、専用参照信号シーケンスｒ（ｍ）の例を示す。
【数４】
0005465320.tif 000005
【００６５】
ここで、ｃ（ｉ）はＰＮシーケンスである。ｃ（ｉ）は数式２が用いられることができる。この時、第２のｍ−シーケンスは、各サブフレームの初めでセルＩＤ、一つの無線フレーム内のサブフレームの位置、端末ＩＤなどによって初期化されることができる。
【００６６】
次の数式は、第２のｍ−シーケンスの初期化の例である。
【数５】
0005465320.tif 000006
【００６７】
ここで、ｎ＿ｓは無線フレーム内のスロット番号であり、Ｎ＿ｃｅｌｌ＿ＩＤはセルＩＤであり、ＵＥ＿ＩＤは端末ＩＤである。
【００６８】
専用参照信号シーケンスは、ＰＤＳＣＨがマッピングされるリソースブロック内で参照信号パターンによって参照リソース要素にマッピングされる。この時、専用参照信号シーケンスは順に前記リソースブロック内で、まず、副搬送波インデックスの昇順、次にはＯＦＤＭシンボルインデックスの昇順に参照リソース要素にマッピングされる。
【００６９】
以上、ＬＴＥシステムにおける共用参照信号構造及び専用参照信号構造に対して説明した。ダウンリンクにおけるＬＴＥシステムは１、２または４個のアンテナ送信がサポートされる。即ち、ＬＴＥシステムが適用される端末（以下、ＬＴＥ端末という）は、最大４個の送信アンテナを介して送信される信号を受信することができる。ＬＴＥシステムの共用参照信号構造は最大４個送信アンテナのチャネル推定が可能に設計されている。
【００７０】
反面、ＬＴＥ−Ａシステムは８個の送信アンテナまでサポートされることができる。即ち、ＬＴＥ−Ａシステムが適用される端末（以下、ＬＴＥ−Ａ端末という）は、最大８個の送信アンテナを介して送信される信号を受信することができる。従って、ＬＴＥ−Ａシステムは最大８個の送信アンテナのチャネル推定が可能に参照信号が送信されなければならない。
【００７１】
然しながら、セル内にはＬＴＥ端末とＬＴＥ−Ａ端末が共存（ｃｏｅｘｉｓｔｉｎｇ）することができる。従って、ＬＴＥ−Ａシステムは、後方互換性（ｂａｃｋｗａｒｄ  ｃｏｍｐａｔｉｂｉｌｉｔｙ）のためにＬＴＥ端末及びＬＴＥ−Ａ端末を共にサポートすることができるように設計されるのが好ましい。ここで、ＬＴＥシステムとＬＴＥ−Ａシステムは例示に過ぎず、一般的に第１のシステムに比べてダウンリンクでサポートされる送信アンテナの個数が拡張されたシステムを第２のシステムと呼ぶことができる。例えば、１のシステムは、ＬＴＥ、ＩＥＥＥ８０２．１６ｅシステムであり、前記第１のシステムの各々に対する第２のシステムは、ＬＴＥ−Ａ、ＩＥＥＥ８０２．１６ｍシステムである。即ち、セル内に互いに異なるタイプの端末が存在することができる。互いに異なるタイプの端末に対しては端末のタイプによって適切な参照信号が送信されるのが好ましい。
【００７２】
また、セル内に存在する端末は、互いに異なる送信技法（ｔｒａｎｓｍｉｓｓｉｏｎ  ｓｃｈｅｍｅ）によって動作することができる。送信技法は、基地局が端末にダウンリンクデータを送信する技法である。送信技法には、単一アンテナ技法、ＭＩＭＯ技法などがある。ＭＩＭＯ技法には、送信ダイバーシティ技法、開ループ（ｏｐｅｎ−ｌｏｏｐ）空間多重化技法、閉ループ（ｃｌｏｓｅｄ−ｌｏｏｐ）空間多重化技法、ＭＵ−ＭＩＭＯ（ｍｕｌｔｉｐｌｅｕｓｅｒ−ＭＩＭＯ）技法などがある。
【００７３】
送信技法によって端末が基地局にフィードバックするアップリンク制御情報は変わることができる。フィードバックされるチャネル情報は、例えば、ＣＱＩ（ｃｈａｎｎｅｌ  ｑｕａｌｉｔｙ  ｉｎｄｉｃａｔｏｒ）、ＰＭＩ（ｐｒｅｃｏｄｉｎｇ  ｍａｔｒｉｘ  ｉｎｄｉｃａｔｏｒ）、ＲＩ（ｒａｎｋ  ｉｎｄｉｃａｔｏｒ）などがある。
【００７４】
ＣＱＩは、与えられた時間に対して端末がサポートすることができるリンク適応的パラメータに対する情報を提供する。ＣＱＩ送信の時、次のうちいずれか一つの圧縮技法が使われることができる。
【００７５】
１．広帯域フィードバック（ｗｉｄｅｂａｎｄ  ｆｅｅｄｂａｃｋ）：広帯域フィードバックは、全体システム帯域に対する一つのＣＱＩ値がフィードバックされる方式である。２．端末選択的サブバンドフィードバック（ＵＥ−ｓｅｌｅｃｔｅｄ  ｓｕｂ−ｂａｎｄ  ｆｅｅｄｂａｃｋ）：端末選択的サブバンドフィードバックは、端末が各サブバンドのチャネル品質を推定した後、品質の良い複数のサブバンドを選択する。また、選択された複数のサブバンドに対する平均的なＣＱＩ値をフィードバックする方式である。３．上位階層設定サブバンドフィードバック（ｈｉｇｅｒ−ｌａｙｅｒ  ｃｏｎｆｉｇｕｒｅｄ  ｓｕｂ−ｂａｎｄ  ｆｅｅｄｂａｃｋ）：上位階層設定サブバンドフィードバックは、上位階層で設定された各サブバンドに対して個別的ＣＱＩをフィードバックする方式である。
【００７６】
ＰＭＩは、コードブックベースのプリコーディングでプリコーディング行列に対する情報を提供する。ＰＭＩはＭＩＭＯ（ｍｕｌｔｉｐｌｅ  ｉｎｐｕｔ  ｍｕｌｔｉｐｌｅ  ｏｕｔｐｕｔ）と関連する。ＭＩＭＯでＰＭＩがフィードバックされることを閉ループＭＩＭＯ（ｃｌｏｓｅｄ  ｌｏｏｐ  ＭＩＭＯ）と呼ぶ。ダウンリンク送信モードは次の７つに区分されることができ、ＰＭＩフィードバックは、ウンリンク送信モードのうち閉ループ空間多重化、マルチユーザＭＩＭＯ、閉ループランク１プリコーディングでのみ使われる。
【００７７】
１．  単一アンテナポート：プリコーディングをしないモードである。
【００７８】
２．  送信ダイバーシティ：送信ダイバーシティはＳＦＢＣを使用する２個または４個のアンテナポートに使われることができる。
【００７９】
３．  開ループ（ｏｐｅｎ  ｌｏｏｐ）空間多重化：ＲＩフィードバックに基づくランク適応が可能な開ループモードである。ランクが１である場合、送信ダイバーシティが適用されることができる。ランクが１より大きい場合、大きい遅延ＣＤＤが使われることができる。
【００８０】
４．  閉ループ（ｃｌｏｓｅｄ  ｌｏｏｐ）空間多重化：動的ランク適応をサポートするプリコーディングフィードバックが適用されるモードである。
【００８１】
５．  マルチユーザＭＩＭＯ。
【００８２】
６．  閉ループランク１プリコーディング。
【００８３】
７．  単一アンテナポート：端末特定的参照信号が使われる場合、ビーム形成に使われることができるモードである。
【００８４】
ＲＩは、端末が薦めるレイヤの数に対する情報である。即ち、ＲＩは空間多重化に使われるストリームの数を示す。ＲＩは、端末が空間多重化を使用するＭＩＭＯモードで動作する場合にのみフィードバックされる。即ち、ＲＩは前述したダウンリンク送信モードのうち３、４の場合にのみフィードバックされる。例えば、単一アンテナポートモードや送信ダイバーシティモードではＲＩがフィードバックされない。ＲＩは、２×２アンテナ構成では１または２の値を有し、４×４アンテナ構成では１乃至４のうち一つの値を有することができる。ＲＩは常に一つ以上のＣＱＩフィードバックと関連する。即ち、フィードバックされるＣＱＩは特定のＲＩ値を仮定して計算される。チャネルのランクは一般的にＣＱＩより遅く変化するため、ＲＩはＣＱＩより少ない回数でフィードバックされる。ＲＩの送信周期はＣＱＩ／ＰＭＩ送信周期の倍数である。ＲＩは全体システム帯域に対して与えられ、周波数選択的なＲＩフィードバックはサポートされない。
【００８５】
また、アップリンク制御情報を送信する方式は、周期的送信（ｐｅｒｉｏｄｉｃ  ｔｒａｎｓｍｉｓｓｉｏｎ）と非周期的送信（ａｐｅｒｉｏｄｉｃ  ｔｒａｎｓｍｉｓｓｉｏｎ）がある。周期的送信は、一般的にＰＵＣＣＨ（Ｐｈｙｓｉｃａｌ  ｕｐｌｉｎｋ  ｃｏｎｔｒｏｌ  ｃｈａｎｎｅｌ）を介して送信されるが、ＰＵＳＣＨ（Ｐｈｙｓｉｃａｌ  ｕｐｌｉｎｋ  ｓｈａｒｅｄ  ｃｈａｎｎｅｌ）を介して送信されることもできる。非周期的送信は、基地局がより精密なチャネル状態情報が必要な場合、端末に要請して実行される。非周期的送信はＰＵＳＣＨを介して実行される。ＰＵＳＣＨを使用するため、より容量が大きくて詳細なチャネル状態リポーティングが可能である。周期的送信と非周期的送信が衝突する場合、非周期的送信のみ実行されることができる。または、周期的送信と非周期的送信が同時に実行されるように構成することもできる。送信技法は、ＲＲＣ（ｒａｄｉｏ  ｒｅｓｏｕｒｃｅ  ｃｏｎｔｒｏｌ）のような上位階層（ｈｉｇｈｅｒ  ｌａｙｅｒ）シグナリングにより半静的に（ｓｅｍｉ−ｓｔａｔｉｃａｌｌｙ）設定されることができる。
【００８６】
前述した通り、セル内に存在する端末別にサポートする最大送信アンテナの個数が異なることもあり、送信技法が異なることもある。このような環境で各端末に適切な参照信号を送信することができる参照信号送信方法及び装置に対して説明する。以下、説明される内容はＬＴＥ−Ａシステムだけでなく、一般的なＯＦＤＭ−ＭＩＭＯシステムで適用可能である。まず、本発明による送信機の構造に対して説明する。
【００８７】
図９は、本発明の一実施例に係る送信機構造の例を示すブロック図である。ここで、送信機は、端末または基地局の一部分である。
【００８８】
図９を参照すると、送信機１００は、情報プロセッサ（ｉｎｆｏｒｍａｔｉｏｎ  ｐｒｏｃｅｓｓｏｒ）１１０、Ｎｔ個のリソース要素マッパ（ｒｅｓｏｕｒｃｅ  ｅｌｅｍｅｎｔ  ｍａｐｐｅｒ）１２０−１，．．．，１２０−Ｎｔ、Ｎｔ個のＯＦＤＭ信号生成器（ＯＦＤＭ  ｓｉｇｎａｌ  ｇｅｎｅｒａｔｏｒ）１３０−１，．．．，１３０−Ｎｔ、Ｎｔ個のＲＦ部（ＲＦ（ｒａｄｉｏ  ｆｒｅｑｕｅｎｃｙ）  ｕｎｉｔ）１４０−１，．．．，１４０−Ｎｔ、及びＮｔ個の送信アンテナ１９０−１，．．．，１９０−Ｎｔを含む（Ｎｔは自然数）。
【００８９】
情報プロセッサ１１０は、Ｎｔ個のリソース要素マッパ１２０−１，．．．，１２０−Ｎｔの各々に連結される。Ｎｔ個のリソース要素マッパ１２０−１，．．．，１２０−Ｎｔの各々は、Ｎｔ個のＯＦＤＭ信号生成器１３０−１，．．．，１３０−Ｎｔの各々に連結され、Ｎｔ個のＯＦＤＭ信号生成器１３０−１，．．．，１３０−Ｎｔの各々は、Ｎｔ個のＲＦ部１４０−１，．．．，１４０−Ｎｔの各々に連結され、Ｎｔ個のＲＦ部１４０−１，．．．，１４０−Ｎｔの各々は、Ｎｔ個の送信アンテナ１９０−１，．．．，１９０−Ｎｔの各々に連結される。即ち、リソース要素マッパ＃ｎ（１２０−ｎ）はＯＦＤＭ信号生成器＃ｎ（１３０−ｎ）に連結され、ＯＦＤＭ信号生成器＃ｎ（１３０−ｎ）はＲＦ部＃ｎ（１４０−ｎ）に連結され、ＲＦ部＃ｎ（１４０−ｎ）は送信アンテナ＃ｎ（１９０−ｎ）に連結される（ｎ＝１，．．．，Ｎｔ）。多重アンテナ送信の場合、送信アンテナ毎に定義された一つのリソースグリッドがある。
【００９０】
情報プロセッサ１１０は情報の入力を受ける。情報は制御情報またはデータである。情報はビット（ｂｉｔ）またはビット列（ｂｉｔ  ｓｔｒｅａｍ）の形態である。送信機１００は、物理階層で具現されることができる。この場合、情報は、ＭＡＣ（ｍｅｄｉｕｍ  ａｃｃｅｓｓ  ｃｏｎｔｒｏｌ）階層のような上位階層から由来したものである。
【００９１】
情報プロセッサ１１０は、情報からＮｔ個の送信ストリーム（送信ストリーム＃１，送信ストリーム＃２，．．．，送信ストリーム＃Ｎｔ）を生成するように形成される。Ｎｔ個の送信ストリームの各々は複数の送信シンボルを含む。送信シンボルは情報を処理して得られる複素数シンボル（ｃｏｍｐｌｅｘ−ｖａｌｕｅｄ  ｓｙｍｂｏｌ）である。
【００９２】
Ｎｔ個のリソース要素マッパ１２０−１，．．．，１２０−Ｎｔの各々は、Ｎｔ個の送信ストリームの各々の入力を受けるように形成される。即ち、リソース要素マッパ＃ｎ（１２０−ｎ）は、送信ストリーム＃ｎの入力を受けるように形成される（ｎ＝１，．．．，Ｎｔ）。リソース要素マッパ＃ｎ（１２０−ｎ）は、情報送信のために割当を受けたリソースブロック内のリソース要素に送信ストリーム＃ｎをマッピングするように形成される。送信ストリーム＃ｎの送信シンボルの各々は一つのリソース要素にマッピングされることができる。送信ストリーム＃ｎがマッピングされないリソース要素には‘０’が挿入されることができる。
【００９３】
情報送信のために割当を受けたリソースブロックは一つ以上である。複数のリソースブロックが割り当てられる場合、複数のリソースブロックは、連続的に割り当てられたり、不連続的に割り当てられることができる。
【００９４】
Ｎｔ個のＯＦＤＭ信号生成器１３０−１，．．．，１３０−Ｎｔの各々は、ＯＦＤＭシンボル毎に時間−連続的な（ｔｉｍｅ−ｃｏｎｔｉｎｕｏｕｓ）ＯＦＤＭ信号を生成するように形成される。時間−連続的なＯＦＤＭ信号はＯＦＤＭベースバンド（ｂａｓｅｂａｎｄ）信号とも呼ぶ。Ｎｔ個のＯＦＤＭ信号生成器１３０−１，．．．，１３０−Ｎｔの各々は、ＯＦＤＭシンボル毎にＩＦＦＴ（ｉｎｖｅｒｓｅ  ｆａｓｔ  Ｆｏｕｒｉｅｒ  ｔｒａｎｓｆｏｒｍ）実行、ＣＰ挿入などを介してＯＦＤＭ信号を生成することができる。
【００９５】
Ｎｔ個のＲＦ部１４０−１，．．．，１４０−Ｎｔの各々は、各ＯＦＤＭベースバンド信号を無線信号（ｒａｄｉｏ  ｓｉｇｎａｌ）に変換する。ＯＦＤＭベースバンド信号は、搬送波周波数（ｃａｒｒｉｅｒ  ｆｒｅｑｕｅｎｃｙ）にアップコンバージョン（ｕｐｃｏｎｖｅｒｓｉｏｎ）されて無線信号に変換されることができる。搬送波周波数は中心周波数（ｃｅｎｔｅｒ  ｆｒｅｑｕｅｎｃｙ）とも呼ぶ。送信機１００は、単一搬送波（ｓｉｎｇｌｅ  ｃａｒｒｉｅｒ）を使用したり、多重搬送波（ｍｕｌｔｉｐｌｅ  ｃａｒｒｉｅｒ）を使用することができる。
【００９６】
Ｎｔ個の送信アンテナ１９０−１，．．．，１９０−Ｎｔの各々を介して各無線信号が送信される。
【００９７】
図１０は、図９の情報プロセッサ構造の例を示すブロック図である。
【００９８】
図１０を参照すると、情報プロセッサ２００は、Ｑ個のチャネルエンコーダ（ｃｈａｎｎｅｌ  ｅｎｃｏｄｅｒ）２１０−１，．．．，２１０−Ｑ、Ｑ個のスクランブラ（ｓｃｒａｍｂｌｅｒ）２２０−１，．．．，２２０−Ｑ、Ｑ個の変調マッパ（ｍｏｄｕｌａｔｉｏｎ  ｍａｐｐｅｒ）２３０−１，．．．，２３０−Ｑ、レイヤマッパ（ｌａｙｅｒ  ｍａｐｐｅｒ）２４０、プリコーダ２５０を含む。
【００９９】
Ｑ個のチャネルエンコーダ２１０−１，．．．，２１０−Ｑの各々は、Ｑ個のスクランブラ２２０−１，．．．，２２０−Ｑの各々に連結され、Ｑ個のスクランブラ２２０−１，．．．，２２０−Ｑの各々は、複数の変調マッパ２３０−１，．．．，２３０−Ｑの各々に連結され、複数の変調マッパ２３０−１，．．．，２３０−Ｑは、レイヤマッパ２４０に連結され、レイヤマッパ２４０は、プリコーダ２５０に連結される。プリコーダ２５０はＮｔ個のリソース要素マッパ（図９参照）に連結される。
【０１００】
チャネルエンコーダ＃ｑ（２１０−ｑ）は、スクランブラ＃ｑ（２２０−ｑ）に連結され、スクランブラ＃ｑ（２２０−ｑ）は、変調マッパ＃ｑ（２３０−ｑ）に連結される（ｑ＝１，．．．，Ｑ）。
【０１０１】
Ｑ個のチャネルエンコーダ２１０−１，．．．，２１０−Ｑの各々は、情報ビット（ｉｎｆｏｒｍａｔｉｏｎ  ｂｉｔ）の入力を受け、情報ビットにチャネルコーディングを実行し、符号化されたビット（ｅｎｃｏｄｅｄ  ｂｉｔ）を生成するように形成される。情報ビットは、送信機が送信しようとする情報に対応される。情報ビットの大きさは情報によって多様であり、符号化されたビットの大きさも情報ビットの大きさ及びチャネルコーディング方式によって多様である。チャネルコーディング方式には制限がない。例えば、チャネルコーディング方式には、ターボコーディング（ｔｕｒｂｏ  ｃｏｄｉｎｇ）、コンボリューションコーディング（ｃｏｎｖｏｌｕｔｉｏｎ  ｃｏｄｉｎｇ）、ブロックコーディング（ｂｌｏｃｋ  ｃｏｄｉｎｇ）などが使われることができる。情報ビットにチャネルコーディングが実行された符号化されたビットをコードワード（ｃｏｄｅｗｏｒｄ）という。ここで、Ｑはコードワードの個数である。チャネルエンコーダ＃ｑ（２１０−ｑ）はコードワード＃ｑを出力する（ｑ＝１，．．．，Ｑ）。
【０１０２】
Ｑ個のスクランブラ２２０−１，．．．，２２０−Ｑの各々は、各コードワードに対するスクランブルされたビット（ｓｃｒａｍｂｌｅｄ  ｂｉｔ）を生成するように形成される。スクランブルされたビットは、符号化されたビットをスクランブリングシーケンス（ｓｃｒａｍｂｌｉｎｇ  ｓｅｑｕｅｎｃｅ）でスクランブルして生成される。スクランブラ＃ｑ（２２０−ｑ）は、コードワード＃ｑに対するスクランブルされたビットを生成するように形成される（ｑ＝１，．．．，Ｑ）。
【０１０３】
Ｑ個の変調マッパ２３０−１，．．．，２３０−Ｑの各々は、各コードワードに対する変調シンボルを生成するように形成される。変調シンボルは複素数シンボルである。変調マッパ＃ｑ（２３０−ｑ）は、コードワード＃ｑに対するスクランブルされたビットを信号コンステレイション（ｓｉｇｎａｌ  ｃｏｎｓｔｅｌｌａｔｉｏｎ）上の位置を表現するシンボルにマッピングして変調シンボル（ｍｏｄｕｌａｔｉｏｎ  ｓｙｍｂｏｌ）を生成するように形成される（ｑ＝１，．．．，Ｑ）。変調方式（ｍｏｄｕｌａｔｉｏｎ  ｓｃｈｅｍｅ）には制限がない。例えば、変調方式には、ｍ−ＰＳＫ（ｍ−ｐｈａｓｅ  ｓｈｉｆｔ  ｋｅｙｉｎｇ）またはｍ−ＱＡＭ（ｍ−ｑｕａｄｒａｔｕｒｅ  ａｍｐｌｉｔｕｄｅ  ｍｏｄｕｌａｔｉｏｎ）などが使われることができる。変調マッパ＃ｑ（２３０−ｑ）から出力されたコードワード＃ｑに対する変調シンボルの個数は、スクランブルされたビットの大きさ及び変調方式によって多様である。
【０１０４】
レイヤマッパ２４０は、各コードワードに対する変調シンボルをＲ個の空間レイヤにマッピングするように形成される。変調シンボルが空間レイヤにマッピングされる方式は多様である。これによって、Ｒ個の空間ストリーム（ｓｐａｔｉａｌ  ｓｔｒｅａｍ）が生成される。ここで、Ｒはランクである。ランクＲはコードワードの個数Ｑの同じ或いは大きい。
【０１０５】
プリコーダ２５０は、Ｒ個の空間ストリームにプリコーディングを実行し、Ｎｔ個の送信ストリームを生成するように形成される。送信アンテナの個数ＮｔはランクＲと同じ或いは小さい。
【０１０６】
プリコーダ２５０で生成されたＮｔ個の送信ストリームの各々は、Ｎｔ個のリソース要素マッパ（図９参照）の各々に入力される。Ｎｔ個の送信ストリームの各々はＮｔ個の送信アンテナの各々を介して送信される。即ち、送信ストリーム＃ｎはリソース要素マッパ＃ｎに入力され、送信アンテナ＃ｎを介して送信される（ｎ＝１，２，．．．，Ｎｔ）。
【０１０７】
このように、複数の送信アンテナを介して多重空間ストリームが同時に送信されるＭＩＭＯ技法を空間多重化という。空間多重化には、単一ユーザに対する空間多重化と多重ユーザに対する空間多重化がある。単一ユーザに対する空間多重化はＳＵ−ＭＩＭＯ（ｓｉｎｇｌｅ  ｕｓｅｒ−ＭＩＭＯ）といい、多重ユーザに対する空間多重化はＭＵ−ＭＩＭＯという。ＭＵ−ＭＩＭＯはアップリンク及びダウンリンクの両方ともでサポートされることができる。
【０１０８】
ＳＵ−ＭＩＭＯの場合、複数の空間レイヤの全てが一つの端末に割り当てられる。一つの端末に割り当てられた複数の空間レイヤを介して多重空間ストリームは同一時間−周波数リソースを使用して送信される。
【０１０９】
ＭＵ−ＭＩＭＯの場合、複数の空間レイヤが複数の端末に割り当てられる。複数の端末に割り当てられた多重空間ストリームは同一時間−周波数リソースを使用して送信される。異なる端末には異なる空間レイヤが割り当てられる。ランクがＲである場合、Ｒ個の空間ストリームはＫ個の端末に割り当てられることができる（２≦Ｋ≦Ｒ、Ｋは自然数）。Ｋ個の端末の各々は、多重空間ストリーム送信に使われる時間−周波数リソースを同時に共有するようになる。
【０１１０】
多重アンテナシステムの空間チャネル測定のために、送信機で送信されるＣＳＩ−ＲＳは複数のタイプ（ｔｙｐｅ）のうちいずれか一つのタイプを有することができる。例えば、ＣＳＩ−ＲＳは、プリコーディングされた参照信号（ｐｒｅｃｏｄｅｄ  ＲＳ）タイプ、或いはプリコーディングされない参照信号（ｎｏｎ−ｐｒｅｃｏｄｅｄ  ＲＳ）タイプである。
【０１１１】
ＣＳＩ−ＲＳがプリコーディングされない参照信号タイプ（以下、ノンプリコーデッドＣＳＩ−ＲＳという）である場合、空間レイヤの個数に関係なしに常に送信アンテナの個数ほど送信されることができる。ノンプリコーデッドＣＳＩ−ＲＳは送信アンテナ毎に独立的な参照信号を有する。
【０１１２】
ＣＳＩ−ＲＳがプリコーディングされた参照信号タイプ（以下、プリコーデッドＣＳＩ−ＲＳという）である場合、空間レイヤの個数ほど送信されることができる。プリコーデッドＣＳＩ−ＲＳは空間レイヤ毎に独立的な参照信号を有する。
【０１１３】
図１１は、送信機でノンプリコーデッドＣＳＩ−ＲＳを生成する場合の例を示すブロック図である。
【０１１４】
図１１を参照すると、送信機３００は、レイヤマッパ３１０、プリコーダ３２０、参照信号生成器（ＲＳ  ｇｅｎｅｒａｔｏｒ）３３０、及びＮｔ個のリソース要素マッパ３４０−１，．．．，３４０−Ｎｔを含む。ここで、Ｎｔは送信機３００の送信アンテナの個数である。空間レイヤの個数はＲであると仮定する。
【０１１５】
レイヤマッパ３１０はプリコーダ３２０に連されする。プリコーダ３２０及び参照信号生成器３３０は、各々、Ｎｔ個のリソース要素マッパ３４０−１，．．．，３４０−Ｎｔに連結される。
【０１１６】
レイヤマッパ３１０は、Ｒ個の空間レイヤに対するＲ個の空間ストリームＳＳ＃１，ＳＳ＃１，．．．，ＳＳ＃Ｒを生成するように形成される。
【０１１７】
プリコーダ３２０は、Ｒ個の空間ストリームにプリコーディングを実行し、Ｎｔ個の送信ストリームＴＳ＃１，ＴＳ＃２，．．．，ＴＳ＃Ｎｔを生成するように形成される。
【０１１８】
参照信号生成器３３０は参照信号に対応する参照信号シーケンスを生成する。参照信号シーケンスは複数の参照シンボルで構成される。参照信号シーケンスは特別な制限がなく任意のシーケンスが使われることができる。
【０１１９】
参照信号生成器３３０はＮｔ個の送信アンテナの各々に対する参照信号シーケンスを生成するように形成される。参照信号生成器３３０は、Ｎｔ個の参照信号シーケンスＲＳ＃１，ＲＳ＃２，．．．，ＲＳ＃Ｎｔを生成するように形成される。Ｎｔ個の参照信号シーケンスの各々は複数の参照信号シンボルを含む。参照信号シンボルは複素数シンボルである。
【０１２０】
Ｎｔ個のリソース要素マッパ３４０−１，．．．，３４０−Ｎｔの各々は、送信ストリーム及び参照信号シーケンスの入力を受け、送信ストリーム及び参照信号シーケンスをリソース要素にマッピングするように形成される。リソース要素マッパ＃ｎ（３４０−ｎ）は、ＴＳ＃ｎ及びＲＳ＃ｎの入力を受け、リソース要素にマッピングすることができる（ｎ＝１，２，．．．，Ｎｔ）。
【０１２１】
即ち、ノンプリコーデッドＣＳＩ−ＲＳは、プリコーダを経ずに送信され、物理的アンテナに対する参照信号として使われることができる。
【０１２２】
図１２は、送信機でプリコーデッドＣＳＩ−ＲＳを生成する場合の例を示すブロック図である。
【０１２３】
図１２を参照すると、送信機４００は、レイヤマッパ４１０、参照信号生成器４２０、プリコーダ４３０、及びＮｔ個のリソース要素マッパ４４０−１，．．．，４４０−Ｎｔを含む。ここで、Ｎｔは送信機４００の送信アンテナの個数である。空間レイヤの個数はＲであると仮定する。
【０１２４】
レイヤマッパ４１０及び参照信号生成器４２０は、各々、プリコーダ４３０に連結される。プリコーダ４３０はＮｔ個のリソース要素マッパ４４０−１，．．．，４４０−Ｎｔに連結される。レイヤマッパ４１０はＲ個の情報ストリーム（ｉｎｆｏｒｍａｔｉｏｎ  ｓｔｒｅａｍ）を生成するように形成される。Ｒ個の情報ストリームはＩＳ＃１，ＩＳ＃２，．．．，ＩＳ＃Ｒで表すことができる。
【０１２５】
参照信号生成器４２０はＲ個の参照信号シーケンスを生成するように形成される。Ｒ個の参照信号シーケンスはＲＳ＃１，ＲＳ＃２，．．．，ＲＳ＃Ｒで表すことができる。Ｒ個の参照信号シーケンスの各々は複数の参照信号シンボルを含む。参照信号シンボルは複素数シンボルである。
【０１２６】
Ｒ個の空間レイヤ毎に、情報ストリーム、参照信号シーケンス、及び参照信号パターンが割り当てられる。空間レイヤ＃ｒにはＩＳ＃ｒ及びＲＳ＃ｒが割り当てられる（ｒ＝１，．．．，Ｒ）。ここで、ｒは空間レイヤを指示する空間レイヤインデックスである。空間レイヤ＃ｒに割り当てられた参照信号パターンはＲＳ＃ｒ送信に使われる時間−周波数リソースパターンである。
【０１２７】
プリコーダ４３０は、Ｒ個の空間ストリームにプリコーディングを実行し、Ｎｔ個の送信ストリームを生成するように形成される。Ｒ個の空間ストリームはＳＳ＃１，ＳＳ＃１，．．．，ＳＳ＃Ｒで表すことができる。Ｎｔ個の送信ストリームはＴＳ＃１，ＴＳ＃２，．．．，ＴＳ＃Ｎｔで表すことができる。
【０１２８】
Ｒ個の空間ストリームの各々は一つの空間レイヤに対応される。即ち、ＳＳ＃ｒは空間レイヤ＃ｒに対応される（ｒ＝１，２，．．．，Ｒ）。Ｒ個の空間ストリームの各々は、対応される空間レイヤに割り当てられた情報ストリーム、参照信号シーケンス、及び参照信号パターンに基づいて生成される。即ち、ＳＳ＃ｒは、ＩＳ＃ｒ、ＲＳ＃ｒ及び空間レイヤ＃ｒに割り当てられた参照信号パターンに基づいて生成される。
【０１２９】
即ち、プリコーデッドＣＳＩ−ＲＳはプリコーダを経て送信される。
【０１３０】
送信機で送信されるＣＳＩ−ＲＳは仮想化を介して仮想アンテナに対する参照信号タイプに送信されたり、仮想化されずに物理的アンテナに対する参照信号タイプに送信されることもできる。
【０１３１】
プリコーダは一般的に特定端末のために使われ、特定システム内のセル特定プリコーダがあると、プリコーディングでなく仮想化（ｖｉｒｔｕａｌｉｚａｔｉｏｎ）と見なされる。このような場合、プリコーデッドＣＳＩ−ＲＳは仮想化を介して生成されることができ、ノンプリコーデッドＣＳＩ−ＲＳは仮想化されずに生成されることができる。プリコーデッドＣＳＩ−ＲＳは仮想アンテナに対する参照信号として機能し、ノンプリコーデッドＣＳＩ−ＲＳは物理的アンテナに対する参照信号として機能する。
【０１３２】
図１３は、送信機でアンテナ仮想化技法を使用してプリコーデッドＣＳＩ−ＲＳを生成する例を示すブロック図である。ここで、送信機は、基地局または端末の一部分である。
【０１３３】
図１３を参照すると、送信機５００は、参照信号生成器５１０、仮想化部（ｖｉｒｔｕａｌｉｚａｔｉｏｎ  ｕｎｉｔ）５２０、及びＮｔ個の送信アンテナ５９０−１，．．．，５９０−Ｎｔを含む。Ｎｔ個の送信アンテナ５９０−１，．．．，５９０−Ｎｔは物理的アンテナである。参照信号生成器５１０は仮想化部５２０に連結され、仮想化部５２０はＮｔ個の送信アンテナ５９０−１，．．．，５９０−Ｎｔに連結される。
【０１３４】
参照信号生成器５１０はＫ個の参照信号シーケンスを生成するように形成される（Ｋ＜Ｎｔ）。
【０１３５】
仮想化部５２０は、各々のＫ個の参照信号シーケンスを各々のＫ個の仮想アンテナにマッピングし、各々のＫ個の参照信号シーケンスベクトルを生成するように形成される。一つの参照信号シーケンスを一つの仮想アンテナにマッピングし、一つの参照信号シーケンスベクトルが生成されることができる。各々のＫ個の参照信号シーケンスベクトルはＮｔ個の送信アンテナ５９０−１，．．．，５９０−Ｎｔを介して送信される。
【０１３６】
このように、Ｎｔ個の送信アンテナを含む送信機５００は、アンテナ仮想化を介して、Ｋ個の仮想アンテナを介して参照信号を送信することができる。端末立場ではＫ個のアンテナを介して参照信号が送信されたと判断する。例えば、ＬＴＥ−Ａシステムで、８個の送信アンテナを含む基地局は、アンテナ仮想化を介して、１、２または４仮想アンテナを介してプリコーデッドＣＳＩ−ＲＳを送信することができる。
【０１３７】
図１４は、一つの仮想アンテナを介して参照信号が送信される無線通信システムの例を示すブロック図である。
【０１３８】
図１４を参照すると、送信機５００は、参照信号生成器５１０、仮想化部５２０、及びＮｔ個の送信アンテナ５９０−１，．．．，５９０−Ｎｔを含む（Ｎｔは自然数）。Ｎｔ個の送信アンテナ５９０−１，．．．，５９０−Ｎｔは物理的アンテナである。参照信号生成器５１０は仮想化部５２０に連結され、仮想化部５２０はＮｔ個の送信アンテナ５９０−１，．．．，５９０−Ｎｔに連結される。受信機６００は、チャネル推定部６１０及びＮｒ個の受信アンテナ６９０−１，．．．，６９０−Ｎｒを含む。送信機５００は基地局の一部分であり、受信機６００は端末の一部分である。
【０１３９】
Ｎｔ個の送信アンテナ５９０−１，．．．，５９０−Ｎｔ及びＮｒ個の受信アンテナ６９０−１，．．．，６９０−Ｎｒとの間にはＭＩＭＯチャネル行列Ｈが形成される。ＭＩＭＯチャネル行列Ｈの大きさはＮｒ×Ｎｔである。受信アンテナの個数が１である場合、ＭＩＭＯチャネル行列は行ベクトル（ｒｏｗ  ｖｅｃｔｏｒ）になる。一般的に行列は行ベクトル及び列ベクトル（ｃｏｌｕｍｎ  ｖｅｃｔｏｒ）まで含む概念である。
【０１４０】
参照信号生成器５１０は、参照信号シーケンス＃ｉ（ｒｉ（ｍ））を生成するように形成される。参照信号シーケンス＃ｉ（ｒｉ（ｍ））は参照信号パターン＃ｉによってマッピングされた参照信号シーケンスである。ここで、ｉは参照信号パターンを指示するパターンインデックスである。ｍは時間−周波数リソースインデックスに対応されることができる。参照信号パターンとは、参照信号シーケンス送信に使われる時間−周波数リソースパターンである。
【０１４１】
または、参照信号シーケンス＃ｉ（ｒｉ（ｍ））は、送信アンテナ＃ｉに対する参照信号パターンによってマッピングされた参照信号シーケンスである（ｉ＝０，１，．．．，Ｎｔ−１）。この場合、Ｎｔ個の送信アンテナの各々に互いに異なる参照信号パターンが使われることができる。
【０１４２】
仮想化部５２０は、参照信号シーケンス＃ｉ（ｒｉ（ｍ））を仮想アンテナ＃ｉにマッピングされるように形成される。参照信号シーケンス＃ｉ（ｒｉ（ｍ））を仮想アンテナ＃ｉにマッピングするために仮想アンテナ行列（ｖｉｒｔｕａｌ  ａｎｔｅｎｎａ  ｍａｔｒｉｘ；Ｖ）を使用する。仮想アンテナ行列がプリコーダと見なされることができ、端末に明白に（ｔｒａｎｓｐａｒｅｎｔ）具現されることができる。
【０１４３】
仮想アンテナ行列の行の個数は物理的送信アンテナの個数と同じであり、仮想アンテナ行列の列の個数は仮想アンテナの個数と同じに構成されることができる。ＬＴＥ−Ａ端末のための参照信号も仮想アンテナマッピング方式に送信される場合、Ｎｔ個の仮想アンテナが構成されることができる。この場合、仮想アンテナ行列の大きさはＮｔ×Ｎｔである。
【０１４４】
次の数式は、Ｎｔが８である場合、仮想アンテナ行列の例を示す。
【数６】
0005465320.tif 000007
【０１４５】
ここで、ｖｉは、仮想アンテナ行列のｉ番目の列ベクトルで、参照信号を仮想アンテナ＃ｉにマッピングするための仮想アンテナベクトル＃ｉである。ｖｉｊは、仮想アンテナ行列の複素数係数（ｃｏｍｐｌｅｘ  ｃｏｅｆｆｉｃｉｅｎｔ）である（ｉ∈｛０，１，．．．，７｝、ｊ∈｛０，１，．．．，７｝）。複素数係数は状況によって様々な形態に構成可能である。
【０１４６】
仮想アンテナ行列はユニタリ行列（ｕｎｉｔａｒｙ  ｍａｔｒｉｘ）形態に構成することができる。仮想アンテナ行列がユニタリ行列である場合、全ての送信アンテナに均等に電力が分配されることができる。
【０１４７】
参照信号シーケンス＃ｉが仮想アンテナ＃ｉにマッピングされた参照信号シーケンスベクトル＃ｉを次の数式のように示すことができる。
【数７】
0005465320.tif 000008
【０１４８】
ここで、ｒｉ（ｍ）は参照信号シーケンス＃ｉであり、ｖｉは仮想アンテナ行列のｉ番目の列ベクトルで、仮想アンテナベクトル＃ｉであり、Ｒｉ（ｍ）は参照信号シーケンスベクトル＃ｉである。
【０１４９】
送信機５００は、Ｎｔ個の送信アンテナ５９０−１，．．．，５９０−Ｎｔを介して参照信号シーケンスベクトル＃ｉ（Ｒｉ（ｍ））を送信する。
【０１５０】
受信機６００は、Ｎｒ個の受信アンテナ６９０−１，．．．，６９０−Ｎｒを介して受信信号ベクトルｙ＝［ｙ１ｙ２，．．．，ｙＮｒ］Ｔを受信する。受信信号ベクトルｙは、次の数式のように示すことができる。
【数８】
0005465320.tif 000009
【０１５１】
ここで、ｎ＝［ｎ１ｎ２，．．．，ｎＮｒ］Ｔは雑音ベクトルである。
【０１５２】
チャネル推定部６１０は、受信信号ベクトルから仮想アンテナ＃ｉの仮想アンテナチャネルである仮想アンテナチャネル＃ｉ（ｈｉ）を推定するように形成される。チャネル推定部６１０は、参照信号シーケンス＃ｉ（ｒｉ（ｍ））を知っているため、仮想アンテナチャネル＃ｉ（ｈｉ）を推定することができる。
【０１５３】
ここでは一つの仮想アンテナを介して一つの参照信号シーケンスを送信する場合を図示したが、Ｋ個の仮想アンテナを介してＫ個の参照信号シーケンスが送信されることもできる。ＬＴＥ端末にＫ個のアンテナ送信が適用される場合、基地局は、Ｎｔ個の仮想アンテナを構成した後、Ｋ個の仮想アンテナを選択して参照信号を送信することができる。
【０１５４】
各々のＫ個の参照信号シーケンス及び各々のＫ個の仮想アンテナベクトルに基づいて各々のＫ個の参照信号シーケンスベクトルが生成され、各々のＫ個の参照信号シーケンスベクトルは、Ｎｔ個の送信アンテナを介して送信されることができる。ここで、各々のＫ個の仮想アンテナベクトルは、仮想アンテナ行列から選択される互いに異なる列ベクトルである。
【０１５５】
仮想アンテナ行列はＫに関係なしに同一な仮想アンテナ行列を使用することができる。または、Ｋによって仮想アンテナ行列を異に使用することができる。例えば、基地局は、ＬＴＥ端末のために１、２または４アンテナ送信によって同一な仮想アンテナ行列を使用したり、或いは異なる仮想アンテナ行列を使用することもできる。
【０１５６】
以下、仮想アンテナ行列の具体的な例を説明する。
【数９】
0005465320.tif 000010
【０１５７】
ここで、ｋは時間−周波数リソースを指示する時間−周波数リソースインデックスであり、ｄｉは位相（ｐｈａｓｅ）である（０≦ｄｉ＜２π、ｉ＝１，２，３，４）。例えば、ｋは副搬送波インデックス、リソース要素インデックスまたは特定リソースインデックスである。時間−周波数リソースによってビームが形成されることができる。
【０１５８】
その他の形態の任意の行列が仮想アンテナ行列として使われることができる。例えば、仮想アンテナ行列は、位相対角行列（ｐｈａｓｅ  ｄｉａｇｏｎａｌ  ｍａｔｒｉｘ）及び定数モジュラス行列（ｃｏｎｓｔａｎｔ  ｍｏｄｕｌｕｓ  ｍａｔｒｉｘ）の結合で構成されることができる。定数モジュラス行列は、行列の各要素が‘０’でない同一大きさを有する行列である。例えば、定数モジュラス行列ＵはＤＦＴ（ｄｉｓｃｒｅｔｅ  Ｆｏｕｒｉｅｒ  ｔｒａｎｓｆｏｒｍ）行列またはウォルシュ（Ｗａｌｓｈ）行列である。例えば、仮想アンテナ行列は、次の数式のように示すことができる。
【数１０】
0005465320.tif 000011
【０１５９】
ここで、行列Ｕは定数モジュラス行列であり、ｋは時間−周波数リソースを指示する時間−周波数リソースインデックスであり、ｄｉは位相である（０≦ｄｉ＜２π、ｉ＝０，１，．．．，７）。定数モジュラス行列Ｕは、行列の各要素の大きさが同一なユニタリ行列である。ｋは、副搬送波インデックス、リソース要素インデックスまたは特定リソースインデックスである。
【０１６０】
位相ｄｉが‘０’である場合（ｉ＝０，１，．．．，７）、仮想アンテナ行列ＶはＵになる。位相ｄｉは固定された値を使用したり、或いは基地局により決定されることができる（ｉ＝０，１，．．．，７）。
【０１６１】
仮想アンテナ行列は、ＤＦＴ行列またはウォルシュ行列を拡張して構成されることができる。例えば、仮想アンテナ行列は、次の数式のように示すことができる。
【数１１】
0005465320.tif 000012
【０１６２】
ここで、Ｄ４×４は４×４の大きさのＤＦＴ行列であり、Ｗ４×４は４×４の大きさのウォルシュ行列である。このように、仮想アンテナ行列は、ＤＦＴ行列またはウォルシュ行列をブロック対角（ｂｌｏｃｋ  ｄｉａｇｏｎａｌ）形態に拡張して構成されることができる。
【０１６３】
このように、仮想アンテナ行列は、ＬＴＥ端末をサポートする送信アンテナの個数によって異に構成されることができる。また。特定個数（例えば、１、２または４個）の送信アンテナのための仮想アンテナ行列は一つ以上で構成することもできる。この場合、送信技法、サブフレーム、無線フレーム、中継ノード（ｒｅｌａｙ  ｎｏｄｅ）などの状況によって異なる仮想アンテナ行列が使われることができる。
【０１６４】
前述した仮想アンテナ行列は、端末立場では見えない場合もある（ｔｒａｎｓｐａｒｅｎｔ）。端末立場では仮想アンテナ行列により、単に異なる送信アンテナ集合によるＣＳＩ−ＲＳ送信であると判断することができる。例えば、送信アンテナ集合は、４個の送信アンテナで表現されるＣＳＩ−ＲＳアンテナ集合１と８個の送信アンテナで表現されるＣＳＩ−ＲＳアンテナ集合２とで構成されることができる。この時、各ＣＳＩ−ＲＳアンテナ集合がどんな仮想アンテナ、プリコーダを経て構成されたか端末立場では知る必要がない。但し、端末によって多重アンテナチャネルを測定するために使用するＣＳＩ−ＲＳアンテナ集合が異に構成されることである。複数のＣＳＩ−ＲＳアンテナ集合は、送信アンテナ個数が同じに構成されることもできる。
【０１６５】
前述した通り、複数のタイプに生成されたＣＳＩ−ＲＳは一定の周期で送信されることができる。このような周期をデューティサイクル（ｄｕｔｙ  ｃｙｃｌｅ）という。デューティサイクルは、例えば、５ｍｓ、１０ｍｓ、２０ｍｓ、４０ｍｓのうちいずれか一つである。即ち、ＣＳＩ−ＲＳは、複数のサブフレームをデューティサイクル（ｄｕｔｙ  ｃｙｃｌｅ）にして送信されることができる。データ復調のためのＤＲＳはサブフレーム毎に送信されるが、チャネル測定用参照信号であるＣＳＩ−ＲＳはチャネル測定情報のリポート周期によって複数のサブフレームを周期に送信されることができる。このような方法は、参照信号によるオーバーヘッド（ｏｖｅｒｈｅａｄ）と参照信号による性能向上との間に良い折衷案になることができる。特に送信されるレイヤの数が小さい場合、ＤＲＳによるオーバーヘッドが減るようになるため、参照信号によるオーバーヘッドを減らすことができる。
【０１６６】
図１５は、本発明の一実施例に係るＣＳＩ−ＲＳの送信方法を示す。
【０１６７】
図１５に示すように、デューティサイクルが５ｍｓである場合、５個のサブフレームを周期にＣＳＩ−ＲＳが送信されることができる。ＣＳＩ−ＲＳは、８個の送信アンテナに対してチャネル測定を実行することができるようにＣＤＭ（ｃｏｄｅ  ｄｉｖｉｓｉｏｎ  ｍｕｌｔｉｐｌｅｘｉｎｇ）されて送信されることができる。
【０１６８】
ＣＳＩ−ＲＳは、送信アンテナまたは送信アンテナグループによってデューティサイクル内で複数のサブフレームで送信されることもできる。
【０１６９】
図１６は、デューティサイクル内で複数のサブフレームで送信されるＣＳＩ−ＲＳの例を示す。
【０１７０】
送信アンテナ＃０乃至＃３を送信アンテナグループ１とし、送信アンテナ＃４乃至＃７を送信アンテナグループ２とすると、送信アンテナグループ１に対するＣＳＩ−ＲＳと送信アンテナグループ２に対するＣＳＩ−ＲＳが１０ｍｓデューティサイクル内で互いに異なるサブフレームで送信されることができる。即ち、送信アンテナ＃０乃至＃７に対するＣＳＩ−ＲＳを一つのデューティサイクル内の複数のサブフレームで送信し、特定サブフレームでＣＳＩ−ＲＳが過度に高い密度に割り当てられることを防止することができる。このようにデューティサイクル内の複数のサブフレームでＣＳＩ−ＲＳを送信することをマルチサブフレーム拡張（ｍｕｌｔｉ−ｓｕｂｆｒａｍｅ  ｅｘｔｅｎｓｉｏｎ）と呼ぶ。
【０１７１】
送信アンテナグループ１に対するＣＳＩ−ＲＳが送信されるリソースブロックと送信アンテナグループ２に対するＣＳＩ−ＲＳが送信されるリソースブロックは互いに異なる。例えば、送信アンテナグループ１に対するＣＳＩ−ＲＳはｉ番目のリソースブロックで送信され、送信アンテナグループ２に対するＣＳＩ−ＲＳは（ｉ＋１）番目のリソースブロックで送信されることができる。
【０１７２】
図１７は、互いに異なるタイプのＣＳＩ−ＲＳが特定デューティサイクルを有して送信される例を示す。
【０１７３】
互いに異なるタイプのＣＳＩ−ＲＳは、同一ＣＳＩ−ＲＳパターンを有してもよく、互いに異なるＣＳＩ−ＲＳパターンを有してもよい。ＣＳＩ−ＲＳパターンとは、基本単位内にＣＳＩ−ＲＳが配置される参照リソース要素のパターンを意味する。同一ＣＳＩ−ＲＳパターンを有する場合、時間／周波数上のリソース要素が同じである。このような場合、互いに異なるタイプのＣＳＩ−ＲＳを区別するためにコード領域で区分されることができるコードが適用されることができる。
【０１７４】
互いに異なるＣＳＩ−ＲＳパターンを有する場合、時間／周波数上のリソース要素が互いに区分されるため、互いに異なるタイプのＣＳＩ−ＲＳは区分されることができる。互いに異なるＣＳＩ−ＲＳパターンは、一つのＣＳＩ−ＲＳパターンが時間軸で移動したり、周波数軸で移動した形態である。
【０１７５】
便宜上、互いに異なるタイプのＣＳＩ−ＲＳをＣＳＩ−ＲＳタイプ１と呼び、ＣＳＩ−ＲＳタイプ２と呼ぶようにする。例えば、ＣＳＩ−ＲＳタイプ１は前述したプリコーデッドＣＳＩ−ＲＳであり、ＣＳＩ−ＲＳタイプ２はノンプリコーデッドＣＳＩ−ＲＳである。
【０１７６】
ＣＳＩ−ＲＳタイプ１とＣＳＩ−ＲＳタイプ２が１０ｍｓデューティサイクルによる送信時点で交互に送信されることができる。即ち、送信されるＣＳＩ−ＲＳのタイプが各デューティサイクルで変更されることができる。端末は、ＣＳＩ−ＲＳタイプ１、２のうちいずれか一つのＣＳＩ−ＲＳを受信し、チャネル測定を実行することができる。この時、端末は、基地局からＲＲＣのような上位階層信号を受信し、予めダウンリンク送信モードに対して知ることができ、送信されるＣＳＩ−ＲＳのタイプに対して知ることができる。
【０１７７】
ダウンリンク送信モードによって適切な特定ＣＳＩ−ＲＳタイプを受信した各端末は、互いに異なるチャネル測定情報をフィードバックすることができる。例えば、プリコーデッドＣＳＩ−ＲＳを受信した端末は、ＣＱＩ（例えば、チャネルに適したＭＣＳレベルをフィードバックすることができる）、ＲＩをチャネル測定情報にフィードバックすることができ、ノンプリコーデッドＣＳＩ−ＲＳを受信した端末は、ＣＱＩ（例えば、チャネルの量子化（ｑｕａｎｔｉｚａｔｉｏｎ）情報または有効な（ｅｆｆｅｃｔｉｖｅ）チャネルの量子化情報である）、ＲＩ、ＰＭＩをチャネル測定情報にフィードバックすることができる。ＰＭＩはチャネルに適したコードブックインデックスを指示し、ＲＩはチャネルのランクを指示する。
【０１７８】
互いに異なるタイプのＣＳＩ−ＲＳは互いに異なるデューティサイクルを有することができる。例えば、２個のタイプのＣＳＩ−ＲＳが存在する場合、各ＣＳＩ−ＲＳは、互いに異なるデューティサイクルを有することによって一つのＣＳＩ−ＲＳが他のＣＳＩ−ＲＳよりよく送信されることができる。
【０１７９】
図１８は、互いに異なるタイプのＣＳＩ−ＲＳが互いに異なるデューティサイクルを有する例を示す。
【０１８０】
図１８でＣＳＩ−ＲＳタイプ１は１０ｍｓのデューティサイクルを有して送信され、ＣＳＩ−ＲＳタイプ２は５ｍｓのデューティサイクルを有して送信される。互いに異なるタイプのＣＳＩ−ＲＳが同一サブフレームで送信されれるかどうかはＣＳＩ−ＲＳのパターンによって変わることができる。例えば、ＣＳＩ−ＲＳタイプ１とＣＳＩ−ＲＳタイプ２が同一なＣＳＩ−ＲＳパターンを有する場合、二つのうちいずれか一つのみ送信されることができる。反面、互いに異なるＣＳＩ−ＲＳパターンを有する場合、同一サブフレームで送信されることができる。または、互いに異なるタイプのＣＳＩ−ＲＳが同一なＣＳＩ−ＲＳパターンを有するとしても、ＣＤＭを介して同一サブフレームで送信されることもできる。
【０１８１】
図１９は、互いに異なるタイプのＣＳＩ−ＲＳがオフセット値を有して送信される例を示す。
【０１８２】
ＣＳＩ−ＲＳタイプ１は１０ｍｓデューティサイクルを有し、ＣＳＩ−ＲＳタイプ２は５ｍｓデューティサイクルを有すると仮定する。ＣＳＩ−ＲＳタイプ２は、ＣＳＩ−ＲＳタイプ１に比べてオフセット値として２サブフレームを有することができる。ＣＳＩ−ＲＳタイプ２は、ＣＳＩ−ＲＳタイプ１と同一なサブフレームで送信されず、常に異なるサブフレームで送信されることができる。互いに異なるタイプのＣＳＩ−ＲＳが同一なＣＳＩ−ＲＳパターンを有する場合、このようなオフセット値により同一サブフレームで送信されることを防止することができる。
【０１８３】
前記例ではオフセット値の単位にサブフレームを開示したが、これは制限ではなく、例えば、スロットを単位にすることもできる。オフセット値は、基地局により設定されることができる。
【０１８４】
前述した例で互いに異なるタイプのＣＳＩ−ＲＳが周期を有して送信される例を説明したが、これは制限ではない。例えば、ＣＳＩ−ＲＳタイプ１は周期を有して送信される一方、ＣＳＩ−ＲＳタイプ２は非周期的に送信されることもできる。基地局は、非周期的ＣＳＩ−ＲＳが送信されるサブフレームをＲＲＣのような上位階層信号を介して端末に知らせることもでき、無線フレームの一番目のサブフレームで非周期的ＣＳＩ−ＲＳが送信されるということを知らせることもできる。
【０１８５】
基地局は、互いに異なるタイプの複数のＣＳＩ−ＲＳのうち少なくとも一つに対してサブバンド（ｓｕｂｂａｎｄ）サイズを知らせることができる。サブバンドは連続するリソースブロックグループを意味する。
【０１８６】
例えば、ＣＳＩ−ＲＳがプリコーデッドＣＳＩ−ＲＳである場合、ＣＳＩ−ＲＳはプリコーダを経るプリコーディングにより送信される。プリコーディングは、全体周波数帯域にわたって一つのプリコーディング行列で実行されることができ、これを広帯域（ｗｉｄｅｂａｎｄ）プリコーディングという。この場合、一端末のために一つのプリコーディング行列が使われる。然しながら、チャネルは、周波数選択的チャネル（ｆｒｅｑｕｅｎｃｙ  ｓｅｌｅｃｔｉｖｅ  ｃｈａｎｎｅｌ）、或いは周波数フラットチャネル（ｆｒｅｑｕｅｎｃｙ  ｆｌａｔ  ｃｈａｎｎｅｌ）である。周波数選択的チャネルである場合、ＭＩＭＯチャネルの特性（ｐｒｏｐｅｒｔｙ）は周波数バンド（ｆｒｅｑｕｅｎｃｙ  ｂａｎｄ）によって変わることができる。空間チャネル相関度（ｓｐａｔｉａｌ  ｃｈａｎｎｅｌ  ｃｏｒｒｅｌａｔｉｏｎ）が相対的に低い限り、より高い性能利得を得るために周波数バンドによって異なるプリコーディング行列が使われることができる。
【０１８７】
周波数バンドによって異なるプリコーディング行列でプリコーディングを実行することを周波数選択的プリコーディング（ｆｒｅｑｕｅｎｃｙ  ｓｅｌｅｃｔｉｖｅ  ｐｒｅｃｏｄｉｎｇ）という。この場合、一端末のために多重プリコーディング行列（ｍｕｌｔｉｐｌｅ  ｐｒｅｃｏｄｉｎｇ  ｍａｔｒｉｘ）が使われることができる。
【０１８８】
プリコーデッドＣＳＩ−ＲＳを用いたチャネル推定の場合、受信機は、多重プリコーディング行列のうちどのプリコーディング行列がどの周波数バンド（即ち、サブバンド）に適用されたかを知るのはチャネル推定性能に大きい影響を及ぼすようになる。受信機が特定プリコーディング行列の使われる周波数領域を知ることができる場合、受信機はその周波数領域でチャネル補間を介してチャネル推定をすることができる。チャネル補間を介してチャネルが推定される場合、雑音（ｎｏｉｓｅ）及び干渉（ｉｎｔｅｒｆｅｒｅｎｃｅ）を抑制することができるため、チャネル推定性能を高めることができる。受信機が端末の一部分である場合、端末はサブバンドに対する情報をダウンリンクグラントに含まれたリソース割当フィールドを介して知ることができる。
【０１８９】
図２０は、多重搬送波システムにおける多重搬送波を周波数帯域で表す例である。
【０１９０】
多重搬送波システムには搬送波（ｃａｒｒｉｅｒ）がＭ（Ｍは２以上の自然数）個存在することができる。各搬送波を単位搬送波（ｃｏｍｐｏｎｅｎｔ  ｃａｒｒｉｅｒ）と呼ぶ。単位搬送波は、例えば、２０ＭＨｚである。多重搬送波システムは搬送波集成（ｃａｒｒｉｅｒ  ａｇｇｒｅｇａｔｉｏｎ）をサポートする。搬送波集成は、複数の狭帯域単位搬送波（ｃａｒｒｉｅｒ）を集成して広帯域を構成することができることを意味する。搬送波集成は、送信帯域幅の拡張を介して増加されるスループット（ｔｈｒｏｕｇｈｐｕｔ）をサポートし、広帯域ＲＦ（ｒａｄｉｏ  ｆｒｅｑｕｅｎｃｙ）素子の導入による費用増加を防止し、既存システムとの互換性を保障することができる。送信帯域幅の拡張は、例えば、２０ＭＨｚ帯域幅を有する単位搬送波をグラニュラリティ（ｇｒａｎｕｌａｒｉｔｙ）として５個の搬送波を集成し、最大１００ＭＨｚの帯域幅をサポートすることができる。
【０１９１】
このような多重搬送波システムで各単位搬送波または単位搬送波グループ別に互いに異なるタイプのＣＳＩ−ＲＳが使われることができる。一つの端末が複数の単位搬送波を介して信号を受信する場合。各単位搬送波別に互いに異なるタイプのＣＳＩ−ＲＳを受信して使用することができる。
【０１９２】
図２１は、本発明の実施例が具現される無線通信のための装置を示すブロック図である。
【０１９３】
基地局５０は、プロセッサ（ｐｒｏｃｅｓｓｏｒ）５１及びアンテナ５９を含む。プロセッサ５１は、アンテナ５９と連結され、提案された機能、過程及び／または方法を具現する。プロトコルスタックの階層はプロセッサ５１により具現されることができる。アンテナ５９は、信号を送信したり、受信する。アンテナ５９は一つまたは複数である。基地局５０はメモリ（未図示）をさらに含むことができる。メモリ（未図示）はプロセッサ５１と連結され、プロセッサ５１を駆動するための多様な情報を格納する。
【０１９４】
端末６０は、プロセッサ６１及びアンテナ６９を含む。プロセッサ６１は、アンテナ６９と連結され、提案された機能、過程及び／または方法を具現する。無線インターフェースプロトコルの階層はプロセッサ６１により具現されることができる。アンテナ６９は、送信信号を送信したり、受信信号を受信する。アンテナ６９は一つまたは複数である。端末６０はメモリ（未図示）をさらに含むことができる。メモリ（未図示）はプロセッサ６１と連結され、プロセッサ６１を駆動するための多様な情報を格納する。
【０１９５】
プロセッサ５１、６１は、ＡＳＩＣ（ａｐｐｌｉｃａｔｉｏｎ−ｓｐｅｃｉｆｉｃ  ｉｎｔｅｇｒａｔｅｄ  ｃｉｒｃｕｉｔ）、他のチップセット、論理回路、データ処理装置及び／またはベースバンド信号及び無線信号を相互変換するＲＦ部（ＲＦ（ｒａｄｉｏ  ｆｒｅｑｕｅｎｃｙ）  ｕｎｉｔ）を含むことができる。提案された送信機はプロセッサ５１、６１内に具現されることができる。メモリ（未図示）は、ＲＯＭ（ｒｅａｄ−ｏｎｌｙ  ｍｅｍｏｒｙ）、ＲＡＭ（ｒａｎｄｏｍ  ａｃｃｅｓｓ  ｍｅｍｏｒｙ）、フラッシュメモリ、メモリカード、格納媒体及び／または他の格納装置を含むことができる。実施例がソフトウェアで具現される時、前述した技法は前述した機能を遂行するモジュール（過程、機能など）で具現されることができる。モジュールは、メモリ（未図示）に格納され、プロセッサ５１、６１により実行されることができる。メモリ（未図示）は、プロセッサ５１、６１の内部または外部にあり、よく知られた多様な手段でプロセッサ５１、６１と連結されることができる。
【０１９６】
このように、無線通信システムにおける基地局は互いに異なるタイプのＣＳＩ−ＲＳを提供し、端末はサポートする送信アンテナの個数、送信モード、フィードバックモードなどによって特定タイプのＣＳＩ−ＲＳを選択的に受信することができる。従って、サポートされるアンテナの個数が異なり、多様な送信技法の適用される端末がシステム内に共存する場合、各端末に最適化された参照信号を送信することができるため、全体システム性能が向上することができる。
【０１９７】
前述した実施例は多様な態様の例示を含む。多様な態様を示すための全ての可能な組合せを記述することはできないが、該当技術分野の通常の知識を有する者は、他の組合せが可能であることを認識することができる。例えば、当業者は、前述した実施例に記載された各構成を互いに組合せる方式に用いることができる。従って、本発明は、ここに示す実施形態に制限されるものではなく、ここで開示された原理及び新規な特徴と一致する最広の範囲を付与しようとするものである。
【図１】
0005465320.tif 000013
【図２】
0005465320.tif 000014
【図３】
0005465320.tif 000015
【図４】
0005465320.tif 000016
【図５】
0005465320.tif 000017
【図６】
0005465320.tif 000018
【図７】
0005465320.tif 000019
【図８】
0005465320.tif 000020
【図９】
0005465320.tif 000021
【図１０】
0005465320.tif 000022
【図１１】
0005465320.tif 000023
【図１２】
0005465320.tif 000024
【図１３】
0005465320.tif 000025
【図１４】
0005465320.tif 000026
【図１５】
0005465320.tif 000027
【図１６】
0005465320.tif 000028
【図１７】
0005465320.tif 000029
【図１８】
0005465320.tif 000030
【図１９】
0005465320.tif 000031
【図２０】
0005465320.tif 000032
【図２１】
0005465320.tif 000033